(57)【要約】  短縮送信時間間隔(sTTI)を使用して行われるべきアップリンク送信を識別することと、そのような送信のためにアップリンクリソースを割り振ることとを提供する、ワイヤレス通信のための方法、システム、およびデバイスが説明される。アップリンクリソースの一部分は、復調基準信号(DMRS)送信などの基準信号送信のために確保されてもよい。いくつかのsTTIのためのリソースは、いくつかの直交周波数分割多重(OFDM)シンボルを含むスロット内に整列されてもよく、OFDMシンボルのうちの1つは、DMRS送信のためのスロット内で2つ以上のsTTIによって共有されるべき、確保されたリソースを有してもよい。確保されたOFDMシンボルは、確保されたOFDMシンボルが2つのsTTI間で共通である2つの重複するsTTIによって共有されてもよい。各sTTIに対するDMRSシーケンスは、sTTIのために割り振られたアップリンクリソースに基づいて選択され得る。
2019537364.tif 000002
【特許請求の範囲】
【請求項１】
ワイヤレス通信のための方法であって、
複数の直交周波数分割多重(OFDM)シンボルを含むスロット内の少なくとも第1の送信時間間隔(TTI)および第2のTTIに対してアップリンクリソースを割り振るステップと、
第1のOFDMシンボルの確保されたアップリンクリソースのサブセットを復調基準信号(DMRS)の送信のために前記第1のTTIおよび前記第2のTTIによって共有されるべき前記スロット内に確保するステップであって、前記第1のOFDMシンボルが前記第1のTTIおよび前記第2のTTIの近傍または内部に位置する、ステップと、
アップリンク送信に対するアップリンク許可をユーザ機器(UE)に送信するステップとを含み、前記アップリンク許可が前記割り振られたアップリンクリソースの表示を含む、方法。
【請求項２】
前記第1のTTIおよび前記第2のTTIが周波数リソースの同じセットを含むことを識別するステップと、
基本DMRSシーケンスの第1の巡回シフト(CS)に基づいて、前記第1のTTIに対する第1のDMRSシーケンスを構成するステップと、
前記基本DMRSシーケンスの第2のCSに基づいて、前記第2のTTIに対する第2のDMRSシーケンスを構成するステップとをさらに含み、前記第1のDMRSシーケンスおよび前記第2のDMRSシーケンスが同じ長さを有する、請求項1に記載の方法。
【請求項３】
前記第1のTTIが周波数リソースの第1のセットを含むことおよび前記第2のTTIが周波数リソースの前記第1のセットに隣接する周波数リソースの第2のセットを含むことを識別するステップをさらに含む、請求項1に記載の方法。
【請求項４】
前記第1のTTIが周波数リソースの第1のセットを含むことおよび前記第2のTTIが周波数リソースの前記第1のセットのサブセットである周波数リソースの第2のセットを含むことを識別するステップをさらに含む、請求項1に記載の方法。
【請求項５】
前記第1のTTIに対する第1のDMRSシーケンスの送信のための周波数リソースの前記第1のセット内に第1のインターレースを構成するステップであって、前記第1のDMRSシーケンスが周波数リソースの前記第1のセットに対応する第1のシーケンス長を有する、ステップと、
前記第2のTTIに対する第2のDMRSシーケンスの送信のための周波数リソースの前記第1のセットの前記サブセット内に第2のインターレースを構成するステップとをさらに含み、前記第2のDMRSシーケンスが周波数リソースの前記第2のセットに対応する第2のシーケンス長を有する、請求項4に記載の方法。
【請求項６】
前記第1のTTIが周波数リソースの第1のセットを含むことおよび前記第2のTTIが周波数リソースの前記第1のセットに部分的に重複する周波数リソースの第2のセットを含むことを識別するステップをさらに含む、請求項1に記載の方法。
【請求項７】
前記第1のTTIに対する第1のDMRSシーケンスの送信のための周波数リソースの前記第1のセットおよび周波数リソースの前記第2のセットの中に第1のインターレースを構成するステップと、
前記第2のTTIに対する第2のDMRSシーケンスの送信のための周波数リソースの前記第1のセットおよび周波数リソースの前記第2のセットの中に第2のインターレースを構成するステップとをさらに含む、請求項4に記載の方法。
【請求項８】
前記第1のTTIが周波数リソースの第1のセットを含むことおよび前記第2のTTIが周波数リソースの前記第1のセットに隣接せずかつ重複しない周波数リソースの第2のセットを含むことを識別するステップをさらに含む、請求項1に記載の方法。
【請求項９】
前記第1のTTIが3つのOFDMシンボルを有しかつ前記第2のTTIが3つのOFDMシンボルを有することを識別するステップをさらに含み、前記第1のOFDMシンボルが前記第1のTTIと前記第2のTTIとの間で共有される、請求項1に記載の方法。
【請求項１０】
前記割り振られたアップリンクリソースが、前記第1のOFDMシンボルに隣接しない2つのOFDMシンボルを含む第3のTTIのためのリソースを含み、前記方法が前記第3のTTIのためのDMRSリソースを識別するステップをさらに含む、請求項1に記載の方法。
【請求項１１】
ワイヤレス通信のための方法であって、
複数の直交周波数分割多重(OFDM)シンボルを含むスロット内の少なくとも第1の送信時間間隔(TTI)および第2のTTIに対するアップリンクリソースの割振りを基地局から受信するステップと、
復調基準信号(DMRS)の送信のために前記第1のTTIおよび前記第2のTTIによって共有されるべき前記スロット内で第1のOFDMシンボルの確保されたアップリンクリソースを識別するステップであって、前記第1のOFDMシンボルが前記第1のTTIおよび前記第2のTTIの近傍または内部に位置する、ステップと、
前記割り振られたアップリンクリソースおよび前記確保されたアップリンクリソースを使用して、アップリンク送信およびDMRSを前記基地局に送信するステップとを含む、方法。
【請求項１２】
前記第1のTTIおよび前記第2のTTIが周波数リソースの同じセットを含むことを識別するステップと、
基本DMRSシーケンスの第1の巡回シフト(CS)に基づいて、前記第1のTTIに対する第1のDMRSシーケンスを生成するステップと、
前記基本DMRSシーケンスの第2のCSに基づいて、前記第2のTTIに対する第2のDMRSシーケンスを生成するステップであって、前記第1のDMRSシーケンスおよび前記第2のDMRSシーケンスが同じ長さを有する、ステップと、
前記第1のOFDMシンボル内で前記第1のDMRSシーケンスおよび前記第2のDMRSシーケンスを送信するステップとをさらに含む、請求項11に記載の方法。
【請求項１３】
前記第1のTTIが周波数リソースの第1のセットを含むことおよび前記第2のTTIが周波数リソースの前記第1のセットに隣接する周波数リソースの第2のセットを含むことを識別するステップをさらに含む、請求項11に記載の方法。
【請求項１４】
周波数リソースの前記第1のセットに対応する第1のシーケンス長を有する前記第1のTTIに対する第1のDMRSシーケンスを生成するステップと、
前記第1のDMRSシーケンスとは独立に、周波数リソースの前記第2のセットに対応する第2のシーケンス長を有する前記第2のTTIに対する第2のDMRSシーケンスを生成するステップと、
前記第1のOFDMシンボル内で前記第1のDMRSシーケンスおよび前記第2のDMRSシーケンスを送信するステップとをさらに含む、請求項13に記載の方法。
【請求項１５】
周波数リソースの前記第1のセットと周波数リソースの前記第2のセットの両方にまたがる第1のシーケンス長を有する前記第1のTTIに対する第1のDMRSシーケンスを生成するステップと、
周波数リソースの前記第1のセットと周波数リソースの前記第2のセットの両方にまたがる第2のシーケンス長を有する前記第2のTTIに対する第2のDMRSシーケンスを生成するステップと、
前記第1のOFDMシンボル内で前記第1のDMRSシーケンスおよび前記第2のDMRSシーケンスを送信するステップとをさらに含む、請求項13に記載の方法。
【請求項１６】
前記第1のTTIが周波数リソースの第1のセットを含むことおよび前記第2のTTIが周波数リソースの前記第1のセットのサブセットである周波数リソースの第2のセットを含むことを識別するステップをさらに含む、請求項11に記載の方法。
【請求項１７】
前記第1のTTIに対する第1のDMRSシーケンスの送信のための周波数リソースの前記第1のセット内に第1のインターレースを構成するステップと、
周波数リソースの前記第1のセットに対応する第1のシーケンス長を有する前記第1のDMRSシーケンスを生成するステップと、
前記第2のTTIに対する第2のDMRSシーケンスの送信のための周波数リソースの前記第1のセットの前記サブセット内に第2のインターレースを構成するステップと、
周波数リソースの前記第2のセットに対応する第2のシーケンス長を有する前記第2のDMRSシーケンスを生成するステップと、
前記第1のインターレース内の前記第1のDMRSシーケンスおよび前記第2のインターレース内の前記第2のDMRSシーケンスを送信するステップとをさらに含む、請求項16に記載の方法。
【請求項１８】
前記第1のTTIが周波数リソースの第1のセットを含むことおよび前記第2のTTIが周波数リソースの前記第1のセットに隣接せずかつ重複しない周波数リソースの第2のセットを含むことを識別するステップと、
周波数リソースの前記第1のセットに対応する第1のシーケンス長を有する前記第1のTTIに対する第1のDMRSシーケンスを生成するステップと、
前記第1のDMRSシーケンスとは独立に、周波数リソースの前記第1のセットに隣接せずかつ重複しない周波数リソースの前記第2のセットに対応する第2のシーケンス長を有する前記第2のTTIに対する第2のDMRSシーケンスを生成するステップと、
周波数リソースの前記第1のセット内の前記第1のDMRSシーケンスおよび周波数リソースの前記第2のセット内の前記第2のDMRSシーケンスを送信するステップとをさらに含む、請求項11に記載の方法。
【請求項１９】
前記第1のTTIが3つのOFDMシンボルを有しかつ前記第2のTTIが3つのOFDMシンボルを有することを識別するステップをさらに含み、前記第1のOFDMシンボルが前記第1のTTIと前記第2のTTIとの間で共有される、請求項11に記載の方法。
【請求項２０】
前記第1のTTIまたは前記第2のTTIのうちの1つまたは複数が、前記第1のOFDMシンボルに加えて、2データOFDMシンボル、または1データOFDMシンボルおよび1パイロットOFDMシンボルを含む、請求項19に記載の方法。
【請求項２１】
アップリンクリソースの前記割振りが、前記第1のOFDMシンボルに隣接しない2つのOFDMシンボルを含む第3のTTIのためのアップリンクリソースをさらに含む、請求項11に記載の方法。
【請求項２２】
前記第3のTTIのためのDMRSリソースを示すシグナリングを受信するステップをさらに含む、請求項21に記載の方法。
【請求項２３】
システムにおけるワイヤレス通信のための装置であって、
複数の直交周波数分割多重(OFDM)シンボルを含むスロット内の少なくとも第1の送信時間間隔(TTI)および第2のTTIに対してアップリンクリソースを割り振るための手段と、
第1のOFDMシンボルの確保されたアップリンクリソースのサブセットを復調基準信号(DMRS)の送信のために前記第1のTTIおよび前記第2のTTIによって共有されるべき前記スロット内に確保するための手段であって、前記第1のOFDMシンボルが前記第1のTTIおよび前記第2のTTIの近傍または内部に位置する、手段と、
アップリンク送信に対するアップリンク許可をユーザ機器(UE)に送信するための手段とを含み、前記アップリンク許可が前記割り振られたアップリンクリソースの表示を含む、装置。
【請求項２４】
前記第1のTTIが周波数リソースの第1のセットを含むことおよび前記第2のTTIが周波数リソースの前記第1のセットのサブセットである周波数リソースの第2のセットを含むことを識別するための手段をさらに含む、請求項23に記載の装置。
【請求項２５】
前記第1のTTIに対する第1のDMRSシーケンスの送信のための周波数リソースの前記第1のセット内に第1のインターレースを構成するための手段であって、前記第1のDMRSシーケンスが周波数リソースの前記第1のセットに対応する第1のシーケンス長を有する、手段と、
前記第2のTTIに対する第2のDMRSシーケンスの送信のための周波数リソースの前記第1のセットの前記サブセット内に第2のインターレースを構成するための手段とをさらに含み、前記第2のDMRSシーケンスが周波数リソースの前記第2のセットに対応する第2のシーケンス長を有する、請求項24に記載の装置。
【請求項２６】
前記第1のTTIに対する第1のDMRSシーケンスの送信のための周波数リソースの前記第1のセットおよび周波数リソースの前記第2のセットの中に第1のインターレースを構成するための手段と、
前記第2のTTIに対する第2のDMRSシーケンスの送信のための周波数リソースの前記第1のセットおよび周波数リソースの前記第2のセットの中に第2のインターレースを構成するための手段とをさらに含む、請求項24に記載の装置。
【請求項２７】
システムにおけるワイヤレス通信のための装置であって、
複数の直交周波数分割多重(OFDM)シンボルを含むスロット内の少なくとも第1の送信時間間隔(TTI)および第2のTTIに対するアップリンクリソースの割振りを基地局から受信するための手段と、
復調基準信号(DMRS)の送信のために前記第1のTTIおよび前記第2のTTIによって共有されるべき前記スロット内で第1のOFDMシンボルの確保されたアップリンクリソースを識別するための手段であって、前記第1のOFDMシンボルが前記第1のTTIおよび前記第2のTTIの近傍または内部に位置する、手段と、
前記割り振られたアップリンクリソースおよび前記確保されたアップリンクリソースを使用して、アップリンク送信およびDMRSを前記基地局に送信するための手段とを含む、装置。
【請求項２８】
前記第1のTTIおよび前記第2のTTIが周波数リソースの同じセットを含むことを識別するための手段と、
基本DMRSシーケンスの第1の巡回シフト(CS)に基づいて、前記第1のTTIに対する第1のDMRSシーケンスを生成するための手段と、
前記基本DMRSシーケンスの第2のCSに基づいて、前記第2のTTIに対する第2のDMRSシーケンスを生成するための手段であって、前記第1のDMRSシーケンスおよび前記第2のDMRSシーケンスが同じ長さを有する、手段と、
前記第1のOFDMシンボル内で前記第1のDMRSシーケンスおよび前記第2のDMRSシーケンスを送信するための手段とをさらに含む、請求項27に記載の装置。
【請求項２９】
前記第1のTTIが周波数リソースの第1のセットを含むことおよび前記第2のTTIが周波数リソースの前記第1のセットのサブセットである周波数リソースの第2のセットを含むことを識別するための手段をさらに含む、請求項27に記載の装置。
【請求項３０】
前記第1のTTIに対する第1のDMRSシーケンスの送信のための周波数リソースの前記第1のセット内に第1のインターレースを構成するための手段と、
周波数リソースの前記第1のセットに対応する第1のシーケンス長を有する前記第1のDMRSシーケンスを生成するための手段と、
前記第2のTTIに対する第2のDMRSシーケンスの送信のための周波数リソースの前記第1のセットの前記サブセット内に第2のインターレースを構成するための手段と、
周波数リソースの前記第2のセットに対応する第2のシーケンス長を有する前記第2のDMRSシーケンスを生成するための手段と、
前記第1のインターレース内の前記第1のDMRSシーケンスおよび前記第2のインターレース内の前記第2のDMRSシーケンスを送信するための手段とをさらに含む、請求項29に記載の装置。
【発明の詳細な説明】
【技術分野】
【０００１】
本特許出願は、各々が本出願の譲受人に譲渡された、2017年7月12日に出願された、「Reference Signal Pattern And Pilot Sharing For Shortened Transmission Time Interval Wireless Communications」と題する、Chenらによる米国特許出願第15/648,159号、および2016年11月9日に出願された、「Reference Signal Pattern and Pilot Sharing For Shortened Transmission Time Interval Wireless Communications」と題する、Chenらによる米国仮特許出願第62/419,730号の優先権を主張する。
【０００２】
下記は、一般に、ワイヤレス通信に関し、より詳細には、短縮送信時間間隔ワイヤレス通信(Shortened Transmission Time Interval Wireless Communications)のための基準信号パターンおよびパイロットシェアリングに関する。
【背景技術】
【０００３】
ワイヤレス多元接続技術は、異なるワイヤレスデバイスが地方自治体、国家、地域、さらには地球規模で通信することを可能にする共通プロトコルを提供するために、様々な電気通信規格において採用されている。例示的な電気通信規格は、ロングタームエボリューション(LTE)である。LTEは、スペクトル効率を改善し、コストを下げ、サービスを改善し、新しいスペクトルを利用し、他のオープン規格とより良く統合するように設計されている。LTEは、ダウンリンク(DL)上でOFDMAを、アップリンク(UL)上でシングルキャリア周波数分割多元接続(SC-FDMA)を使用し、多入力多出力(MIMO)アンテナ技術を使用し得る。
【０００４】
いくつかの例では、ワイヤレス多元接続通信システムは、ユーザ機器(UE)としても知られている複数の通信デバイスのための通信を各々が同時にサポートする、いくつかの基地局を含み得る。LTEネットワークまたはLTEアドバンスト(LTE-A)ネットワークでは、1つまたは複数の基地局のセットがeNodeB(eNB)を定義し得る。他の例では(たとえば、次世代新無線(NR: New Radio)または5Gネットワークにおける)、ワイヤレス多元接続通信システムは、いくつかのアクセスノードコントローラ(ANC)と通信しているいくつかのスマート無線ヘッド(RH)を含むことがあり、ここでANCと通信している1つまたは複数のRHのセットが基地局(たとえば、eNBまたはgNB)を定義する。基地局は、ダウンリンク(DL)チャネル(たとえば、基地局からUEへの送信用)上およびアップリンク(UL)チャネル(たとえば、UEから基地局への送信用)上でUEのセットと通信し得る。
【０００５】
いくつかのLTEまたはNR展開における基地局は、1ミリ秒(1ms)に対して低減された長さを有する短縮TTI(sTTI)またはレガシーLTE TTIを含み得る複数の異なる送信時間間隔(TTI)を使用して1つまたは複数のUEに送信し得る。sTTIを使用して通信するユーザは、低レイテンシユーザと呼ばれることがある。sTTIは、1msに対応する1つまたは複数のサブフレームまたはレガシーTTIサブフレームのサブセットであり得る。基地局は、sTTIに対する送信リソースを、時間リソースおよび/または周波数リソースを含み得るUEに割り振る場合がある。データ、制御情報、および基準信号の送信に対するそのようなリソースの効率的な割振りは、ワイヤレス通信システムの効率の向上を助ける場合がある。
【発明の概要】
【課題を解決するための手段】
【０００６】
説明する技法は、短縮送信時間間隔(sTTI)ワイヤレス通信のための基準信号パターンおよびパイロットシェアリングをサポートする改善された方法、システム、デバイス、または装置に関する。一般に、説明する技法は、sTTI(たとえば、低レイテンシ送信または高信頼送信)を使用して行われるべきアップリンク送信を識別すること、およびそのような送信に対してアップリンクリソースを割り振ることを提供する。アップリンクリソースの一部分は、復調基準信号(DMRS)送信などの基準信号送信のために確保されてもよい。いくつかの例では、いくつかのsTTIのためのリソースは、いくつかの直交周波数分割多重(OFDM)シンボルを含むスロット内に整列されてもよく、OFDMシンボルのうちの1つは、DMRS送信のためのスロット内で2つ以上のsTTIによって共有されるべき、確保されたリソースを有してもよい。場合によっては、確保されたOFDMシンボルは、確保されたOFDMシンボルが2つのsTTI間で共通である2つの重複するsTTIによって共有されてもよい。場合によっては、確保されたOFDMシンボルはまた、隣接しないsTTIに対するDMRS送信のために使用されてもよく、シグナリングが、隣接しないsTTIに対するDMRSリソースを示すために提供されてもよい。各sTTIに対するDMRSシーケンスは、sTTIに対して割り振られたアップリンクリソースに基づいて選択されてもよい。
【０００７】
ワイヤレス通信の方法について説明する。方法は、複数のOFDMシンボルを含むスロット内の少なくとも第1のTTIおよび第2のTTIに対してアップリンクリソースを割り振るステップと、第1のOFDMシンボルの確保されたアップリンクリソースのサブセットをDMRSの送信のために第1のTTIおよび第2のTTIによって共有されるべきスロット内に確保するステップであって、第1のOFDMシンボルが第1のTTIおよび第2のTTIの近傍または内部に位置する、ステップと、アップリンク送信に対するアップリンク許可をUEに送信するステップとを含んでもよく、アップリンク許可は割り振られたアップリンクリソースの表示を含む。
【０００８】
ワイヤレス通信のための装置について説明する。装置は、複数のOFDMシンボルを含むスロット内の少なくとも第1のTTIおよび第2のTTIに対してアップリンクリソースを割り振るための手段と、第1のOFDMシンボルの確保されたアップリンクリソースのサブセットをDMRSの送信のために第1のTTIおよび第2のTTIによって共有されるべきスロット内に確保するための手段であって、第1のOFDMシンボルが第1のTTIおよび第2のTTIの近傍または内部に位置する、手段と、アップリンク送信に対するアップリンク許可をUEに送信するための手段とを含んでもよく、アップリンク許可は割り振られたアップリンクリソースの表示を含む。
【０００９】
ワイヤレス通信のための別の装置について説明する。この装置は、プロセッサと、プロセッサと電子通信しているメモリと、メモリ内に記憶された命令とを含み得る。命令は、プロセッサによって実行されたとき、複数のOFDMシンボルを含むスロット内の少なくとも第1のTTIおよび第2のTTIに対してアップリンクリソースを割り振ることと、第1のOFDMシンボルの確保されたアップリンクリソースのサブセットをDMRSの送信のために第1のTTIおよび第2のTTIによって共有されるべきスロット内に確保することであって、第1のOFDMシンボルが第1のTTIおよび第2のTTIの近傍または内部に位置する、確保することと、アップリンク送信に対するアップリンク許可をUEに送信することとを装置に行わせるように動作可能であってもよく、アップリンク許可は割り振られたアップリンクリソースの表示を含む。
【００１０】
ワイヤレス通信のための非一時的コンピュータ可読媒体について説明する。非一時的コンピュータ可読媒体は、複数のOFDMシンボルを含むスロット内の少なくとも第1のTTIおよび第2のTTIに対してアップリンクリソースを割り振ることと、第1のOFDMシンボルの確保されたアップリンクリソースのサブセットをDMRSの送信のために第1のTTIおよび第2のTTIによって共有されるべきスロット内に確保することであって、第1のOFDMシンボルが第1のTTIおよび第2のTTIの近傍または内部に位置する、確保することと、アップリンク送信に対するアップリンク許可をUEに送信することとをプロセッサに行わせるように動作可能な命令を含んでもよく、アップリンク許可は割り振られたアップリンクリソースの表示を含む。
【００１１】
上記の方法、装置、および非一時的コンピュータ可読媒体のいくつかの例は、第1のTTIおよび第2のTTIが周波数リソースの同じセットを含むことを識別することと、基本DMRSシーケンスの第1の巡回シフト(CS)に基づいて第1のTTIに対する第1のDMRSシーケンスを構成することと、基本DMRSシーケンスの第2のCSに基づいて第2のTTIに対する第2のDMRSシーケンスを構成することとを行うための、プロセス、特徴、手段、または命令をさらに含んでもよく、第1のDMRSシーケンスおよび第2のDMRSシーケンスは同じ長さを有する。
【００１２】
上記の方法、装置、および非一時的コンピュータ可読媒体のいくつかの例は、第1のTTIが周波数リソースの第1のセットを含むこと、および第2のTTIが周波数リソースの第1のセットに隣接し得る周波数リソースの第2のセットを含むことを識別するためのプロセス、特徴、手段、または命令をさらに含んでもよい。上記の方法、装置、および非一時的コンピュータ可読媒体のいくつかの例は、周波数リソースの第1のセットに対応する第1のシーケンス長を有する第1のTTIに対する第1のDMRSシーケンスを構成することと、第1のDMRSシーケンスとは独立に、周波数リソースの第2のセットに対応する第2のシーケンス長を有する第2のTTIに対する第2のDMRSシーケンスを構成することとを行うためのプロセス、特徴、手段、または命令をさらに含んでもよい。上記の方法、装置、および非一時的コンピュータ可読媒体のいくつかの例は、周波数リソースの第1のセットと周波数リソースの第2のセットの両方にまたがる第1のシーケンス長を有する第1のTTIに対する第1のDMRSシーケンスを構成することと、周波数リソースの第1のセットと周波数リソースの第2のセットの両方にまたがる第2のシーケンス長を有する第2のTTIに対する第2のDMRSシーケンスを構成することとを行うためのプロセス、特徴、手段、または命令をさらに含んでもよい。
【００１３】
上記の方法、装置、および非一時的コンピュータ可読媒体のいくつかの例は、第1のTTIが周波数リソースの第1のセットを含むこと、および第2のTTIが周波数リソースの第1のセットのサブセットであり得る周波数リソースの第2のセットを含むことを識別するためのプロセス、特徴、手段、または命令をさらに含んでもよい。上記の方法、装置、および非一時的コンピュータ可読媒体のいくつかの例は、第1のTTIに対する第1のDMRSシーケンスの送信のための周波数リソースの第1のセット内に第1のインターレースを構成することであって、第1のDMRSシーケンスが周波数リソースの第1のセットに対応する第1のシーケンス長を有する、構成することと、第2のTTIに対する第2のDMRSシーケンスの送信のための周波数リソースの第1のセットのサブセット内に第2のインターレースを構成することとを行うためのプロセス、特徴、手段、または命令をさらに含んでもよく、第2のDMRSシーケンスは周波数リソースの第2のセットに対応する第2のシーケンス長を有する。上記の方法、装置、および非一時的コンピュータ可読媒体のいくつかの例は、第1のTTIが周波数リソースの第1のセットを含むこと、および第2のTTIが周波数リソースの第1のセットと部分的に重複する周波数リソースの第2のセットを含むことを識別するためのプロセス、特徴、手段、または命令をさらに含んでもよい。
【００１４】
上記の方法、装置、および非一時的コンピュータ可読媒体のいくつかの例は、第1のTTIに対する第1のDMRSシーケンスの送信のための周波数リソースの第1のセットおよび周波数リソースの第2のセットの中に第1のインターレースを構成することと、第2のTTIに対する第2のDMRSシーケンスの送信のための周波数リソースの第1のセットおよび周波数リソースの第2のセットの中に第2のインターレースを構成することとを行うためのプロセス、特徴、手段、または命令をさらに含んでもよい。上記の方法、装置、および非一時的コンピュータ可読媒体のいくつかの例は、第1のTTIが周波数リソースの第1のセットを含むこと、および第2のTTIが周波数リソースの第1のセットに隣接せずかつ重複しない周波数リソースの第2のセットを含むことを識別するためのプロセス、特徴、手段、または命令をさらに含んでもよい。上記の方法、装置、および非一時的コンピュータ可読媒体のいくつかの例は、周波数リソースの第1のセットに対応する第1のシーケンス長を有する第1のTTIに対する第1のDMRSシーケンスを構成することと、第1のDMRSシーケンスとは独立に、周波数リソースの第1のセットに隣接せずかつ重複しない周波数リソースの第2のセットに対応する第2のシーケンス長を有する第2のTTIに対する第2のDMRSシーケンスを構成することとを行うためのプロセス、特徴、手段、または命令をさらに含んでもよい。
【００１５】
上記の方法、装置、および非一時的コンピュータ可読媒体のいくつかの例は、第1のTTIが3つのOFDMシンボルを有しかつ第2のTTIが3つのOFDMシンボルを有し得ることを識別するためのプロセス、特徴、手段、または命令をさらに含んでもよく、第1のOFDMシンボルは第1のTTIと第2のTTIとの間で共有され得る。上記の方法、装置、および非一時的コンピュータ可読媒体のいくつかの例は、第1のOFDMシンボルに加えて、2データOFDMシンボル、または1データOFDMシンボルおよび1パイロットOFDMシンボルを有するように、第1のTTIまたは第2のTTIのうちの1つまたは複数を構成するためのプロセス、特徴、手段、または命令をさらに含んでもよい。
【００１６】
上記の方法、装置、および非一時的コンピュータ可読媒体のいくつかの例では、割り振られたアップリンクリソースは、第1のOFDMシンボルに隣接しない2つのOFDMシンボルを含む第3のTTIのためのリソースを含み、DMRSリソースは第3のTTIのために識別され得る。上記の方法、装置、および非一時的コンピュータ可読媒体のいくつかの例では、第3のTTIの2つのOFDMシンボルの各々はデータOFDMシンボルであってもよく、第3のTTIのためのDMRSリソースは第1のOFDMシンボル内に位置するリソースを含む。上記の方法、装置、および非一時的コンピュータ可読媒体のいくつかの例は、第3のTTIのためのDMRSリソースを示すシグナリングを送信するためのプロセス、特徴、手段、または命令をさらに含んでもよい。上記の方法、装置、および非一時的コンピュータ可読媒体のいくつかの例では、第3のTTIのためのDMRSリソースは、第3のTTIのためのDMRSリソースを示すシグナリングから2つ以上のOFDMシンボルの後ろに位置し得る。上記の方法、装置、および非一時的コンピュータ可読媒体のいくつかの例では、DMRSリソースは、第3のTTIの2つのOFDMシンボルのうちの1つの中のパイロット信号リソース内に含まれ得る。
【００１７】
ワイヤレス通信の方法について説明する。方法は、複数のOFDMシンボルを含むスロット内の少なくとも第1のTTIおよび第2のTTIに対するアップリンクリソースの割振りを基地局から受信するステップと、DMRSの送信のために第1のTTIおよび第2のTTIによって共有されるべきスロット内で第1のOFDMシンボルの確保されたアップリンクリソースを識別するステップであって、第1のOFDMシンボルが第1のTTIおよび第2のTTIの近傍または内部に位置する、ステップと、割り振られたアップリンクリソースおよび確保されたアップリンクリソースを使用してアップリンク送信およびDMRSを基地局に送信するステップとを含み得る。
【００１８】
ワイヤレス通信のための装置について説明する。装置は、複数のOFDMシンボルを含むスロット内の少なくとも第1のTTIおよび第2のTTIに対するアップリンクリソースの割振りを基地局から受信するための手段と、DMRSの送信のために第1のTTIおよび第2のTTIによって共有されるべきスロット内で第1のOFDMシンボルの確保されたアップリンクリソースを識別するための手段であって、第1のOFDMシンボルが第1のTTIおよび第2のTTIの近傍または内部に位置する、手段と、割り振られたアップリンクリソースおよび確保されたアップリンクリソースを使用してアップリンク送信およびDMRSを基地局に送信するための手段とを含み得る。
【００１９】
ワイヤレス通信のための別の装置について説明する。この装置は、プロセッサと、プロセッサと電子通信しているメモリと、メモリ内に記憶された命令とを含み得る。命令は、プロセッサによって実行されたとき、複数のOFDMシンボルを含むスロット内の少なくとも第1のTTIおよび第2のTTIに対するアップリンクリソースの割振りを基地局から受信することと、DMRSの送信のために第1のTTIおよび第2のTTIによって共有されるべきスロット内で第1のOFDMシンボルの確保されたアップリンクリソースを識別することであって、第1のOFDMシンボルが第1のTTIおよび第2のTTIの近傍または内部に位置する、識別することと、割り振られたアップリンクリソースおよび確保されたアップリンクリソースを使用してアップリンク送信およびDMRSを基地局に送信することとを装置に行わせるように動作可能であり得る。
【００２０】
ワイヤレス通信のための非一時的コンピュータ可読媒体について説明する。非一時的コンピュータ可読媒体は、複数のOFDMシンボルを含むスロット内の少なくとも第1のTTIおよび第2のTTIに対するアップリンクリソースの割振りを基地局から受信することと、DMRSの送信のために第1のTTIおよび第2のTTIによって共有されるべきスロット内で第1のOFDMシンボルの確保されたアップリンクリソースを識別することであって、第1のOFDMシンボルが第1のTTIおよび第2のTTIの近傍または内部に位置する、識別することと、割り振られたアップリンクリソースおよび確保されたアップリンクリソースを使用してアップリンク送信およびDMRSを基地局に送信することとをプロセッサに行わせるように動作可能な命令を含み得る。
【００２１】
上記の方法、装置、および非一時的コンピュータ可読媒体のいくつかの例は、第1のTTIおよび第2のTTIが周波数リソースの同じセットを含むことを識別することと、基本DMRSシーケンスの第1の巡回シフト(CS)に基づいて第1のTTIに対する第1のDMRSシーケンスを生成することと、基本DMRSシーケンスの第2のCSに基づいて第2のTTIに対する第2のDMRSシーケンスを生成することであって、第1のDMRSシーケンスおよび第2のDMRSシーケンスは同じ長さを有する、生成することと、第1のOFDMシンボル内で第1のDMRSシーケンスおよび第2のDMRSシーケンスを送信することとを行うためのプロセス、特徴、手段、または命令をさらに含んでもよい。
【００２２】
上記の方法、装置、および非一時的コンピュータ可読媒体のいくつかの例は、第1のTTIが周波数リソースの第1のセットを含むこと、および第2のTTIが周波数リソースの第1のセットに隣接し得る周波数リソースの第2のセットを含むことを識別するためのプロセス、特徴、手段、または命令をさらに含んでもよい。上記の方法、装置、および非一時的コンピュータ可読媒体のいくつかの例は、周波数リソースの第1のセットに対応する第1のシーケンス長を有する第1のTTIに対する第1のDMRSシーケンスを生成することと、第1のDMRSシーケンスとは独立に、周波数リソースの第2のセットに対応する第2のシーケンス長を有する第2のTTIに対する第2のDMRSシーケンスを生成することと、第1のOFDMシンボル内で第1のDMRSシーケンスおよび第2のDMRSシーケンスを送信することとを行うためのプロセス、特徴、手段、または命令をさらに含んでもよい。上記の方法、装置、および非一時的コンピュータ可読媒体のいくつかの例は、周波数リソースの第1のセットと周波数リソースの第2のセットの両方にまたがる第1のシーケンス長を有する第1のTTIに対する第1のDMRSシーケンスを生成することと、周波数リソースの第1のセットと周波数リソースの第2のセットの両方にまたがる第2のシーケンス長を有する第2のTTIに対する第2のDMRSシーケンスを生成することと、第1のOFDMシンボル内で第1のDMRSシーケンスおよび第2のDMRSシーケンスを送信することとを行うためのプロセス、特徴、手段、または命令をさらに含んでもよい。
【００２３】
上記の方法、装置、および非一時的コンピュータ可読媒体のいくつかの例は、第1のTTIが周波数リソースの第1のセットを含むこと、および第2のTTIが周波数リソースの第1のセットのサブセットであり得る周波数リソースの第2のセットを含むことを識別するためのプロセス、特徴、手段、または命令をさらに含んでもよい。上記の方法、装置、および非一時的コンピュータ可読媒体のいくつかの例は、第1のTTIに対する第1のDMRSシーケンスの送信のための周波数リソースの第1のセット内に第1のインターレースを構成することと、周波数リソースの第1のセットに対応する第1のシーケンス長を有する第1のDMRSシーケンスを生成することと、第2のTTIに対する第2のDMRSシーケンスの送信のための周波数リソースの第1のセットのサブセット内に第2のインターレースを構成することと、周波数リソースの第2のセットに対応する第2のシーケンス長を有する第2のDMRSシーケンスを生成することと、第1のインターレース内の第1のDMRSシーケンスおよび第2のインターレース内の第2のDMRSシーケンスを送信することとを行うためのプロセス、特徴、手段、または命令をさらに含んでもよい。
【００２４】
上記の方法、装置、および非一時的コンピュータ可読媒体のいくつかの例は、第1のTTIが周波数リソースの第1のセットを含むこと、および第2のTTIが周波数リソースの第1のセットに隣接せずかつ重複しない周波数リソースの第2のセットを含むことを識別するためのプロセス、特徴、手段、または命令をさらに含んでもよい。上記の方法、装置、および非一時的コンピュータ可読媒体のいくつかの例は、周波数リソースの第1のセットに対応する第1のシーケンス長を有する第1のTTIに対する第1のDMRSシーケンスを生成することと、第1のDMRSシーケンスとは独立に、周波数リソースの第1のセットに隣接せずかつ重複しない周波数リソースの第2のセットに対応する第2のシーケンス長を有する第2のTTIに対する第2のDMRSシーケンスを生成することと、周波数リソースの第1のセット内の第1のDMRSシーケンスおよび周波数リソースの第2のセット内の第2のDMRSシーケンスを送信することとを行うためのプロセス、特徴、手段、または命令をさらに含んでもよい。
【００２５】
上記の方法、装置、および非一時的コンピュータ可読媒体のいくつかの例は、第1のTTIが3つのOFDMシンボルを有しかつ第2のTTIが3つのOFDMシンボルを有し得ることを識別するためのプロセス、特徴、手段、または命令をさらに含んでもよく、第1のOFDMシンボルは第1のTTIと第2のTTIとの間で共有され得る。上記の方法、装置、および非一時的コンピュータ可読媒体のいくつかの例では、第1のTTIまたは第2のTTIのうちの1つまたは複数は、第1のOFDMシンボルに加えて、2データOFDMシンボル、または1データOFDMシンボルおよび1パイロットOFDMシンボルを含む。上記の方法、装置、および非一時的コンピュータ可読媒体のいくつかの例では、アップリンクリソースの割振りは、第1のOFDMシンボルに隣接しない2つのOFDMシンボルを含む第3のTTIのためのアップリンクリソースをさらに含む。上に記載した方法、装置、および非一時的コンピュータ可読媒体のいくつかの例は、第3のTTIのためのDMRSリソースを示すシグナリングを受信するためのプロセス、特徴、手段、または命令をさらに含み得る。
【図面の簡単な説明】
【００２６】
【図１】本開示の態様による、短縮送信時間間隔ワイヤレス通信のための基準信号パターンおよびパイロットシェアリングをサポートするワイヤレス通信のためのシステムの一例を示す図である。
【図２】本開示の態様による、短縮送信時間間隔ワイヤレス通信のための基準信号パターンおよびパイロットシェアリングをサポートするワイヤレス通信システムの一例を示す図である。
【図３】本開示の態様による、短縮送信時間間隔ワイヤレス通信のための基準信号パターンおよびパイロットシェアリングをサポートするsTTIリソースの一例を示す図である。
【図４】本開示の態様による、短縮送信時間間隔ワイヤレス通信のための基準信号パターンおよびパイロットシェアリングをサポートするsTTIリソースの別の例を示す図である。
【図５】本開示の態様による、短縮送信時間間隔ワイヤレス通信のための基準信号パターンおよびパイロットシェアリングをサポートするsTTIリソースおよびインターレースされたDMRSリソースの一例を示す図である。
【図６】本開示の態様による、短縮送信時間間隔ワイヤレス通信のための基準信号パターンおよびパイロットシェアリングをサポートするプロセスフローの一例を示す図である。
【図７】本開示の態様による、短縮送信時間間隔ワイヤレス通信のための基準信号パターンおよびパイロットシェアリングをサポートするデバイスのブロック図である。
【図８】本開示の態様による、短縮送信時間間隔ワイヤレス通信のための基準信号パターンおよびパイロットシェアリングをサポートするデバイスのブロック図である。
【図９】本開示の態様による、短縮送信時間間隔ワイヤレス通信のための基準信号パターンおよびパイロットシェアリングをサポートするデバイスのブロック図である。
【図１０】本開示の態様による、短縮送信時間間隔ワイヤレス通信のための基準信号パターンおよびパイロットシェアリングをサポートする基地局を含むシステムのブロック図である。
【図１１】本開示の態様による、短縮送信時間間隔ワイヤレス通信のための基準信号パターンおよびパイロットシェアリングをサポートするデバイスのブロック図である。
【図１２】本開示の態様による、短縮送信時間間隔ワイヤレス通信のための基準信号パターンおよびパイロットシェアリングをサポートするデバイスのブロック図である。
【図１３】本開示の態様による、短縮送信時間間隔ワイヤレス通信のための基準信号パターンおよびパイロットシェアリングをサポートするデバイスのブロック図である。
【図１４】本開示の態様による、短縮送信時間間隔ワイヤレス通信のための基準信号パターンおよびパイロットシェアリングをサポートするUEを含むシステムのブロック図である。
【図１５】本開示の態様による、短縮送信時間間隔ワイヤレス通信のための基準信号パターンおよびパイロットシェアリングのための方法を示す図である。
【図１６】本開示の態様による、短縮送信時間間隔ワイヤレス通信のための基準信号パターンおよびパイロットシェアリングのための方法を示す図である。
【図１７】本開示の態様による、短縮送信時間間隔ワイヤレス通信のための基準信号パターンおよびパイロットシェアリングのための方法を示す図である。
【図１８】本開示の態様による、短縮送信時間間隔ワイヤレス通信のための基準信号パターンおよびパイロットシェアリングのための方法を示す図である。
【図１９】本開示の態様による、短縮送信時間間隔ワイヤレス通信のための基準信号パターンおよびパイロットシェアリングのための方法を示す図である。
【図２０】本開示の態様による、短縮送信時間間隔ワイヤレス通信のための基準信号パターンおよびパイロットシェアリングのための方法を示す図である。
【図２１】本開示の態様による、短縮送信時間間隔ワイヤレス通信のための基準信号パターンおよびパイロットシェアリングのための方法を示す図である。
【図２２】本開示の態様による、短縮送信時間間隔ワイヤレス通信のための基準信号パターンおよびパイロットシェアリングのための方法を示す図である。
【図２３】本開示の態様による、短縮送信時間間隔ワイヤレス通信のための基準信号パターンおよびパイロットシェアリングのための方法を示す図である。
【図２４】本開示の態様による、短縮送信時間間隔ワイヤレス通信のための基準信号パターンおよびパイロットシェアリングのための方法を示す図である。
【発明を実施するための形態】
【００２７】
様々な例の改善された方法、システム、デバイス、または装置が、低レイテンシワイヤレス通信システムにおける短縮送信時間間隔(sTTI)通信のための基準信号パターンおよびパイロットシェアリングをサポートするために使用され得る。低レイテンシ通信に対して割り振られるリソースは、1msTTI持続時間を使用し得る高速大容量(eMBB:enhanced Mobile Broadband)送信など、比較的レイテンシに鈍感(latency insensitive)であり得る通信のTTIに対して低減された長さを有するsTTIを使用するアップリンクおよびダウンリンクの通信のために使用され得る。sTTIを使用する通信は、場合によっては、ワイヤレスサブフレームの1つのスロットに対応するsTTI持続時間、または2つもしくは3つの直交周波数分割多重(OFDM)シンボルに対応するsTTI持続時間を使用し得る。場合によっては、sTTIは、1msのTTIのスロットの境界の中の、またはその境界と整合した境界を有するように構成され得る。いくつかの例では、sTTIは2つまたは3つのOFDMシンボルにまたがってもよく、各スロットは3つのsTTIを有してもよい。そのようにして、通常巡回プレフィックスを使用するスロットのすべての7つのシンボルが利用されてもよく、システムリソースは、7シンボルスロット内に3つの2シンボルsTTIが含まれる場合に対してより効率的に利用され得る。
【００２８】
本明細書で開示する様々な技法は、sTTI送信のためのアップリンクリソースを識別することを提供し得る。アップリンクリソースの一部分は、DMRS送信などの基準信号送信のために確保されてもよい。いくつかの例では、いくつかのsTTIのためのリソースは、いくつかのOFDMシンボルを含むスロット内に整合されてもよく、OFDMシンボルのうちの1つは、DMRS送信のためのスロット内で2つ以上のsTTIによって共有されるべき、確保されたリソースを有してもよい。場合によっては、確保されたOFDMシンボルは、確保されたOFDMシンボルが2つのsTTI間で共通である2つの重複するsTTIによって共有されてもよい。場合によっては、確保されたOFDMシンボルは、隣接しないsTTIに対するDMRS送信のために使用されてもよく、シグナリングが、隣接しないsTTIに対するDMRSリソースを示すために提供されてもよい。各sTTIに対するDMRSシーケンスは、sTTIに対して割り振られたアップリンクリソースに基づいて選択されてもよい。
【００２９】
UEは、1つのスロット内に2つ以上のsTTIに対するアップリンクリソース割振りを受信してもよく、割り振られたアップリンクリソースを使用してアップリンク通信を送信してもよい。DMRS構成などの基準信号構成が識別される場合があり、sTTIのうちの2つ以上のsTTIに対するDMRSが、確保されたリソースを使用して送信される場合がある。場合によっては、2つ以上のsTTIからの基準信号は、(たとえば、異なる巡回シフトを適用することによってまたは異なるインターレース(Interlace)を使用することによって)多重化され、sTTIのための基準信号リソースを使用して送信される場合がある。
【００３０】
そのような低レイテンシ通信は、たとえば、通信の性質に応じて選択され得る、データ通信に対する複数の異なるサービスをサポートし得るシステム内で使用され得る。たとえば、ミッションクリティカル(MiCr)通信と呼ばれることがある低レイテンシおよび高信頼を必要とする通信は、sTTIを使用するより低いレイテンシなサービス(たとえば、超高信頼低遅延(URLLC: Ultra-Reliable Low-Latency Communication)サービス)を通してサービスされ得る。対応して、より遅延トレラントである通信は、1msTTIを使用するモバイルブロードバンドサービス(たとえば、高速大容量(eMBB)サービス)など、いくぶんより高いレイテンシとともに比較的より高いスループットを提供するサービスを通してサービスされ得る。他の例では、通信は、他のデバイス(たとえば、計量器、車両、電化製品、機械など)の中に組み込まれるUEと行う場合があり、マシン型通信(MTC: Machine-Type Communication)サービス(たとえば、大規模MTC(mMTC: massive MTC))がそのような通信に使用される場合がある。場合によっては、異なるサービス(たとえば、eMBB、URLLC、mMTC)は、異なるTTI、異なるサブキャリア(またはトーン)スペーシング、および異なる巡回プレフィックスを有する場合がある。
【００３１】
本開示は、高帯域幅の動作、より多数の動的サブフレームタイプ/スロット、および(サブフレーム/スロットの終端部の前にサブフレーム/スロットのためのハイブリッド自動再送要求(HARQ)フィードバックが送信され得る)自己完結型のサブフレーム/スロットタイプ(Self-Contained Subframe/Slot Type)などの特徴をサポートするように設計されている次世代ネットワーク(たとえば、5GまたはNRネットワーク)に関して様々な技法を説明する。しかしながら、そのような技法は、異なる長さのTTIがワイヤレス通信システム内で送信され得る任意のシステムのために使用され得る。
【００３２】
本開示の態様について、最初にワイヤレス通信システムの文脈で説明する。次いで、異なるsTTIリソースに対するDMRS構成の様々な例について説明する。本開示の態様は、さらに、短縮送信時間間隔ワイヤレス通信(Shortened Transmission Time Interval Wireless Communication)のための基準信号パターンおよびパイロットシェアリングに関する装置図、システム図、およびフローチャートによって示され、それらに関して説明される。
【００３３】
図1は、本開示の様々な態様による、ワイヤレス通信システム100の一例を示す。ワイヤレス通信システム100は、基地局105と、UE115と、コアネットワーク130とを含む。いくつかの例では、ワイヤレス通信システム100は、LTE(またはLTEアドバンスト)ネットワークまたは新無線(NR: New Radio)ネットワークであり得る。場合によっては、ワイヤレス通信システム100は、拡張ブロードバンド通信、超高信頼(たとえば、ミッションクリティカル)通信、低レイテンシ通信、および低コストで低複雑度のデバイスを伴う通信をサポートし得る。ワイヤレス通信システム100は、確保されたリソースが基準信号またはパイロット送信に対する2つ以上のsTTIによって共有され得る、sTTIワイヤレス通信のための基準信号パターンおよびパイロットシェアリング(Pilot Sharing)を提供し得る。
【００３４】
基地局105は、1つまたは複数の基地局アンテナを介してUE115とワイヤレス通信し得る。各基地局105は、それぞれの地理的カバレッジエリア110に通信カバレッジを提供し得る。ワイヤレス通信システム100に示されている通信リンク125は、UE115から基地局105へのアップリンク(UL)送信、または基地局105からUE115へのダウンリンク(DL)送信を含み得る。制御情報およびデータは、様々な技法に従ってアップリンクチャネルまたはダウンリンク上で多重化され得る。制御情報およびデータは、たとえば、時分割多重(TDM)技法、周波数分割多重(FDM)技法、またはハイブリッドTDM-FDM技法を使用して、ダウンリンクチャネル上で多重化され得る。いくつかの例では、ダウンリンクチャネルのTTIの間に送信される制御情報は、カスケード式に異なる制御領域の間に(たとえば、共通の制御領域と1つまたは複数のUE固有の制御領域との間に)分散され得る。
【００３５】
UE115は、ワイヤレス通信システム100全体にわたって分散され得、各UE115は固定またはモバイルであり得る。UE115はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれることがある。UE115はまた、携帯電話、携帯情報端末(PDA)、ワイヤレスモデム、ワイヤレス通信デバイス、ハンドヘルドデバイス、タブレットコンピュータ、ラップトップコンピュータ、コードレス電話、個人向け電子デバイス、ハンドヘルドデバイス、パーソナルコンピュータ、ワイヤレスローカルループ(WLL)局、モノのインターネット(IoT)デバイス、すべてのインターネット(IoE)デバイス、マシン型通信(MTC)デバイス、家電機器、自動車、ドローンなどであり得る。
【００３６】
場合によっては、UE115はまた、他のUE(たとえば、ピアツーピア(P2P:Peer-to-Peer)プロトコルまたはデバイスツーデバイス(D2D:Device-to-Device)プロトコルを使用して)と直接通信することが可能であり得る。MTCデバイスまたはIoTデバイスなど、いくつかのUE115は、低コストまたは低複雑度のデバイスである場合があり、マシン間の自動化された通信、すなわちマシンツーマシン(M2M:Machine-to-Machine)通信を提供し得る。M2MまたはMTCは、人が介在することなく、デバイスが互いとまたは基地局と通信することを可能するデータ通信技術を指す場合がある。MTCデバイスのための適用例の例としては、スマートメータリング、インベントリ監視、水位監視、機器監視、ヘルスケア監視、野生生物監視、天候および地質学的事象監視、フリート管理およびトラッキング、リモートセキュリティ検知、物理的アクセス制御、ならびにトランザクションベースのビジネス課金がある。
【００３７】
場合によっては、MTCデバイスは、低減されたピークレートで半二重(一方向)通信を使用して動作し得る。MTCデバイスはまた、アクティブ通信に関与していないとき、電力節約「ディープスリープ」モードに入るように構成され得る。場合によっては、MTCデバイスまたはIoTデバイスはミッションクリティカル機能をサポートするように設計されてもよく、ワイヤレス通信システムはこれらの機能に対する超高信頼低遅延通信を提供するように構成され得る。
【００３８】
基地局105は、コアネットワーク130と、また互いと通信し得る。たとえば、基地局105は、バックホールリンク132(たとえば、S1など)を通してコアネットワーク130とインターフェースし得る。基地局105は、バックホールリンク134(たとえば、X2など)を介して直接または間接的に(たとえば、コアネットワーク130を通して)のいずれかで互いと通信し得る。基地局105は、UE115との通信のための無線構成およびスケジューリングを実施し得るか、または基地局コントローラ(図示せず)の制御下で動作し得る。いくつかの例では、基地局105は、マクロセル、スモールセル、ホットスポットなどであり得る。基地局105は、LTE eNB、eLTE eNB、NR gNB、NR Node-B、NRアクセスノードのうちの一例であり、アクセスノードコントローラ(ANC)を含み得る。
【００３９】
基地局105は、バックホールリンク132(たとえば、S1、S2、NG-1、NG-2、NG-3、NG-C、NG-Uなど)を通じてコアネットワーク130とインターフェースすることができ、関連するカバレージエリア110内のUE115との通信のために無線構成およびスケジューリングを実行することができる。様々な例では、ネットワークデバイス105-bは、ワイヤード通信リンクまたはワイヤレス通信リンクであり得るバックホールリンク134(たとえば、X1、X2、Xnなど)を介して、直接、または間接的に(たとえば、コアネットワーク130を通して)のいずれかで、互いに通信し得る。各基地局105はまた、いくつかの他のネットワークデバイスを通していくつかのUE115と通信してもよく、ここでネットワークデバイスは、送受信ポイント(TRP)、分散ユニット(DU)、無線ヘッド(RH)、リモート無線ヘッド(RRH)、またはスマート無線ヘッドの一例であり得る。
【００４０】
ワイヤレス通信システム100は、複数のセルまたはキャリア上での動作、すなわち、キャリアアグリゲーション(CA)またはマルチキャリア動作と呼ばれることがある特徴をサポートし得る。キャリアはまた、コンポーネントキャリア(CC)、レイヤ、チャネルなどと呼ばれ得る。「キャリア」、「コンポーネントキャリア」、「セル」、および「チャネル」という用語は、本明細書では互換的に使用され得る。UE115は、キャリアアグリゲーションのために、複数のダウンリンクCCと1つまたは複数のアップリンクCCとで構成され得る。キャリアアグリゲーションは、FDDコンポーネントキャリアとTDDコンポーネントキャリアの両方とともに使用され得る。
【００４１】
場合によっては、ワイヤレス通信システム100は、拡張コンポーネントキャリア(eCC:enhanced Component Carrier)を利用してもよい。eCCは、より広い帯域幅、より短いシンボル持続時間、およびより短い送信時間間隔(TTI)を含む、1つまたは複数の特徴によって特徴付けられ得る。場合によっては、eCCは、キャリアアグリゲーション構成またはデュアル接続構成(たとえば、複数のサービングセルが準最適なまたは非理想的なバックホールリンクを有するとき)と関連付けられ得る。eCCはまた、無認可スペクトルまたは(2つ以上の事業者がスペクトルを使用することを許可される)共有スペクトルにおいて使用するために構成され得る。場合によっては、eCCは、他のCCのシンボル持続時間と比較して縮小されたシンボル持続時間の使用を含んでもよい、他のCCとは異なるシンボル持続時間を利用してもよい。より短いシンボル持続時間は、増加したサブキャリア間隔に関連付けられる。eCCを使用する、UE115または基地局105などのデバイスが、縮小されたシンボル持続時間(たとえば、16.67マイクロ秒)で、広帯域信号(たとえば、20、40、60、80MHzなど)を送信し得る。eCC中のTTIは、1つまたは複数のシンボルからなり得る。場合によっては、TTI持続時間(つまり、TTI中のシンボルの数)は可変であってよい。5GまたはNRキャリアはeCCと見なされ得る。
【００４２】
場合によっては、ワイヤレスシステム100は、認可無線周波数スペクトル帯域と無認可無線周波数スペクトル帯域の両方を使用し得る。たとえば、ワイヤレスシステム100は、5GHz産業、科学、および医療(ISM)帯域などの無認可帯域においてLTEライセンス補助アクセス(LTE-LAA)もしくはLTE無認可(LTE U:LTE Unlicensed)無線アクセス技術またはNR技術を用いることができる。無認可無線周波数スペクトル帯域で動作するとき、基地局105およびUE115などのワイヤレスデバイスは、データを送信する前にチャネルがクリアであることを保証するためにリッスンビフォアトーク(LBT)手順を用いることができる。場合によっては、無認可帯域における動作は、認可帯域において動作するコンポーネントキャリア(CC)と連携したキャリアアグリゲーション(CA)構成に基づき得る。無認可スペクトルにおける動作は、ダウンリンク送信、アップリンク送信、または両方を含み得る。無認可スペクトルにおける複信は、周波数分割複信(FDD)、時分割複信(TDD)、または両方の組合せに基づいてもよい。
【００４３】
LTEまたはNRにおける時間間隔は、(Ts=1/30,720,000秒のサンプリング周期であり得る)基本時間単位の倍数で表され得る。LTE/LTE-A内の時間リソースは、0から1023の範囲のシステムフレーム番号(SFN)によって識別され得る、10msの長さの無線フレーム(Tf = 307200Ts)に従って編成されてよい。各フレームは、0から9の番号が付けられた10個の1msサブフレームを含み得る。サブフレームはさらに、2つの0.5msのスロットへと分割されることがあり、これらの各々が、6個または7個の変調シンボル期間(各シンボルの先頭に追加される巡回プレフィックスの長さに依存する)を含む。巡回プレフィックスを除くと、各シンボルは2048個のサンプル期間を含む。場合によっては、サブフレームは、TTIとしても知られる最小のスケジューリング単位であり得る。他の場合、TTIはサブフレームよりも短いことがあり、または(たとえば、sTTIバーストにおいて、またはsTTIを使用する選択されたコンポーネントキャリアにおいて)動的に選択されることがある。本明細書で説明する様々な例は、2つ以上のsTTIによって共有され、UE115からのsTTIアップリンク送信の復調における使用に、高信頼のDMRS送信を提供するために使用され得る基準信号リソースを提供し得る、短縮されたTTIのための技法を提供する。
【００４４】
図2は、短縮送信時間間隔ワイヤレス通信のための基準信号パターンおよびパイロットシェアリングに対するワイヤレス通信システム200の一例を示す。ワイヤレス通信システム200は、図1に関して上記で説明したUE115の態様の例であり得る、基地局105-aおよびUE115-aを含む。図2の例では、ワイヤレス通信システム200は、5GまたはNR RATなど、無線アクセス技術(RAT)に従って動作し得るが、本明細書で説明する技法は、任意のRATに、および2つ以上の異なるRATを同時に使用し得るシステムに適用され得る。
【００４５】
基地局105-aは、キャリア205を介してUE115-aと通信し得る。いくつかの例では、基地局105-aは、キャリア205を介するUEとの通信に対してリソースを割り振る場合がある。たとえば、基地局105-aは、UE115-aとの通信に対してサブフレーム210を割り振る場合があり、1つまたは複数のサブフレーム210は、1msのレガシーLTE TTIに対応する場合がある。この例では、サブフレーム210は、第1のサブフレーム210-aと、第2のサブフレーム210-bと、第3のサブフレーム210-cとを含み得る。サブフレーム210の各々は2つのスロットを含んでもよく、各スロットは通常巡回プレフィックスに対して7つのシンボルを有してもよい。この例では、第1のスロット(スロット0)220および第2のスロット(スロット1)225は、第1のサブフレーム210-a内に含まれ得る。
【００４６】
上記のように、低レイテンシシステムのアップリンクでは、異なるsTTI長が、キャリア205を介して送信するために使用され得る。たとえば、2シンボルsTTI、3シンボルsTTI、および1スロットsTTIの持続時間は、物理アップリンク制御チャネル(PUCCH)および物理アップリンク共有チャネル(PUSCH)の送信(または短縮されたPUCCH(sPUCCH)および短縮されたPUSCH(sPUSCH)の送信)に対してサポートされ得る。したがって、第1のスロット220または第2のスロット225の中で、2つまたは3つのOFDMシンボル持続時間をそれぞれ有し得る第1のsTTI(TTI-0)230、第2のsTTI(TTI-1)235、および第3のsTTI(TTI-2)240など、複数のsTTIが存在し得る。本明細書で説明する様々な例はアップリンク通信に関して説明されるが、いくつかの例では、そのような技法はダウンリンク通信にも適用され得る。
【００４７】
2シンボルsTTIまたは3シンボルsTTIが使用されるとき、場合によっては、sTTI境界が、第1のスロット220または第2のスロット225の境界などのスロット境界の中にあるか、またはスロット境界と整合される、固定sTTI構造を有することが望ましい場合があり、固定sTTI構造はスロット整合sTTIと呼ばれることがある。上記で説明したように、通常CPを使用するとき、7つのシンボルは各スロット220〜225の中に含まれ、したがって各スロットはスロット整合sTTIに対して3つのsTTIを含み得る。特定のsTTIはレガシーDMRSシンボル(各スロットのシンボル3)を含まないので、TTI長が短くなるにつれて、レガシーDMRSパターンを再使用することは常に可能であるとは限らない。たとえば、サブフレームのシンボル0およびシンボル1をカバーする2シンボルsPUSCHは、レガシーDMRSシンボルを含まない。そのような場合、各sTTIのために個別のDMRSリソースを供給することは、比較的高いオーバーヘッドをもたらす場合がある。本開示の様々な態様によれば、1つのスロット内のsTTIのうちの2つは、各スロットの各シンボルを効率的に利用するために、DMRS送信またはパイロット信号送信のために使用され得る共通シンボルを共有する3シンボルsTTIとして構成され得る。
【００４８】
図3は、短縮送信時間間隔ワイヤレス通信のための基準信号パターンおよびパイロットシェアリングのためのsTTIリソース300の一例を示す。sTTIリソース300は、たとえば、図1および図2に関して上記で説明したような、UEと基地局との間の低レイテンシ通信に対するスロット整合sTTIパターン内で使用され得る。サブフレーム310は、アップリンク通信に対して割り振られたリソースを有し得る。サブフレーム310は、1msまたはレガシーLTE TTIスロットに対応し得る、第1のスロット(スロット0)315および第2のスロット(スロット1)320の2つのスロットを含み得る。各スロット315および320は、スロットアライメント345に従って低レイテンシ通信に対して割り振られたスロット整合sTTIを含み得る。各スロット315および320は、第1のTTI(TTI-0)325、第2のTTI(TTI-1)330、および第3のTTI(TTI-2)335を含む3つのTTIを含み得る。
【００４９】
上記からわかるように、sTTIが1msサブフレーム310内のスロット境界を横切らないことを確実にするために、2シンボルsTTIと3シンボルsTTIの両方は、スロット315またはスロット320内で使用され得る。様々な例では、1つのOFDMシンボルは、DMRS送信のために確保されてもよく、第1のsTTI325と第2のsTTI330との間で共有される共有DMRSシンボル340であってもよい。したがって、そのような場合、第1のsTTI325と第2のsTTI330の両方は、データ送信に対する2つのシンボルを含んでもよく、共有DMRSシンボル340内のDMRSを送信してもよい。したがって、この例における第1の2つのsTTIの各々は、効率的に、それらの間で共通の共有DMRSシンボル340を有する3シンボルsTTIになる。
【００５０】
図3の例に示すように、シンボル2はDMRS送信のために確保され得る。場合によっては、第1のスロット315のシンボル2は、常にDMRS送信のために確保されてもよく、第1のsTTI325または第2のsTTI330内に割り振られたリソースを含むUEへのアップリンクリソース割振りは、共有DMRSシンボル340内のDMRS送信のためのリソースを含むと仮定されてもよく、したがって、スロット内で、第1の2つのsTTIは、常にそれらのDMRSを共有することができる。第1のsTTI325および第2のsTTI330の中で、他の2つのシンボルは、各シンボル内でデータを送信するか、または一方のシンボル内でデータを送信しかつ他方のシンボル内でパイロット信号を送信するように構成され得る。場合によっては、UEが比較的高いモビリティを有すると識別されるとき、基地局はsTTIに対するデータ/パイロット構成を構成してもよい。第3のsTTI335も同様に、データ/データまたはパイロット/データのいずれかとして構成され得る。第3のsTTI335がデータ/データである場合、関連するDMRSは、第3のsTTI335がスタートする前に送信され得る。場合によっては、そのような第3のsTTI335のDMRS送信に対するタイミングはn+kに基づく場合があり、ここでnは、その中でUEが許可を受信するシンボルであり、kは、その中で関連するDMRSが送信されるべきシンボルである。場合によっては、kはk≧2となるように選択され得る。他の場合には、kはk≧4となるように選択され得る。
【００５１】
いくつかの状況では、第2のスロット320は、スロットの最後のシンボルにおいてサウンディング基準信号(SRS: Sounding Reference Signal)送信を含んでもよく、そのような場合、第2のスロット320の最後のsTTIを3シンボルsTTIにすることが有益である場合があり、ここでsTTIの第3のシンボルはSRS送信のために使用され、他の2つのシンボルはデータおよび/またはパイロットの送信のために使用され得る。したがって、いくつかの例では、第1のスロットのシンボル2がDMRS送信のために確保され得ることが標準化される場合がある。したがって、リソース割振りが、シンボル2を含むかまたはそれに隣接するsTTIを含む場合、シンボル2はDMRS送信のために使用されることになる。割り振られたリソースが、第1のスロットのシンボル2を含むかまたはそれに隣接するリソースを含まない他の場合には、上記で第3のsTTI335に関して説明したものと同様に、DMRSリソースはアップリンク許可内で示され得る。
【００５２】
2つ以上のsTTIに対して割り振られたアップリンクリソースは、各sTTIのために同じ周波数リソースを含んでもよく、または異なる周波数リソースを含んでもよい。図3の例では、sTTIの各々は、周波数リソースf0 350内の割り振られたリソースであり得る。他の場合には、周波数リソースは、互いに素であるが連続したリソースの1セットを占有する場合があり、1つのsTTIの周波数リソースは別のsTTIの周波数リソースの1スーパーセットである場合があり、または周波数リソースは周波数において重複も隣接もしない場合がある。様々な例によれば、共有DMRSシンボル340を使用するDMRS送信に対するDMRSシーケンスは、sTTIのための周波数リソースに基づいて識別され得る。第1のsTTI325と第2のsTTI330の両方に対して同じ周波数リソースが使用される場合には、DMRS送信は、同じ長さの異なる巡回シフトで多重化され得る。同一でない周波数リソースでかつ関連するDMRSシーケンスの他の場合について、図4および図5に関して説明する。
【００５３】
図4は、短縮送信時間間隔ワイヤレス通信のための基準信号パターンおよびパイロットシェアリングのためのsTTIリソース400の一例を示す。sTTIリソース400は、たとえば、図1および図2に関して上記で説明したような、UEと基地局との間の低レイテンシ通信に対するスロット整合sTTIパターン内で使用され得る。この例では、第1のsTTI(sTTI-0)405は第1のアップリンク周波数リソース(f0)415を割り振られ、第2のsTTI(sTTI-1)410は第2のアップリンク周波数リソース(f1)420を割り振られ得る。この例では、第1の周波数リソース415および第2の周波数リソース420は、互いに素であるが連続したリソースの1セットを占有する。共有DMRSシンボル425は、第1の周波数リソース415と第2の周波数リソース420の両方にまたがることができる。そのような例では、各sTTIに対するDMRSシーケンスを生成するための2つのオプションには、sTTI割当てごとに独立したDMRS生成が含まれるか、または生成されたDMRSシーケンスが第1の周波数リソース415と第2の周波数リソース420の両方にまたがるために、割り振られた帯域全体をカバーする、各sTTIに対する長いDMRSシーケンスが含まれる場合がある。
【００５４】
独立したDMRSシーケンスが第1のsTTI405および第2のsTTI410に対して生成される場合には、各DMRSシーケンス長は、第1の周波数リソース415または第2の周波数リソース420のそれぞれに対する割振りの長さに対応する。長いDMRSシーケンスが使用される場合には、第1の周波数リソース415と第2の周波数リソース420の両方をカバーする2つの長いDMRSシーケンスが生成されてもよく、異なる巡回シフトが、第1のsTTI405および第2のsTTI410に対して適用される。長いDMRSシーケンス生成は、場合によっては、より良好なチャネル推定品質を提供するために有益であり得る。周波数リソースが比較的高い周波数選択性チャネル(Frequency Selective Channel)を占有する場合などの他の場合には、受信機において受信されたシーケンスを直交に保つことはより困難であることがあり、独立したDMRS生成が有益であり得る。場合によっては、独立したDMRSシーケンス生成または長いDMRSシーケンス生成は、チャネル条件および割振りのサイズに少なくとも部分的に基づいて選択される場合がある。場合によっては、連続した周波数リソース割振りに対するDMRSシーケンス生成は、標準化されてもよく、または基地局からの許可または他の制御シグナリングの中でシグナリングされてもよい。
【００５５】
図5は、短縮送信時間間隔ワイヤレス通信のための基準信号パターンおよびパイロットシェアリングのためのsTTIリソース500およびインターレースされたDMRSリソースの一例を示す。sTTIリソース500は、たとえば、図1および図2に関して上記で説明したような、UEと基地局との間の低レイテンシ通信に対するスロット整合sTTIパターン内で使用され得る。この例では、第1のsTTI(sTTI-0)505は第1のアップリンク周波数リソース(f0)515を割り振られ、第2のsTTI(sTTI-1)510は第2のアップリンク周波数リソース(f1)520を割り振られ得る。したがって、この例では、第1の周波数リソース515は、第2の周波数リソース520のスーパーセットである。共有DMRSシンボル525は、第1の周波数リソース515と第2の周波数リソース520の両方にまたがることができる。そのような例では、異なるインターレースが、各sTTIのDMRS送信に提供され得る。図5の例は、第1の周波数リソース515を第2の周波数リソース520のスーパーセットとして示すが、他の例では、第1の周波数リソース515および第2の周波数リソース520は部分的に重複してもよく、第1の周波数リソース515および第2の周波数リソース520の各々からの周波数リソースのサブセットが重複する。DMRS送信に対する異なるインターレースは、そのように部分的に重複する例においても同様に使用することができ、各sTTIに対するDMRS送信は異なるインターレースの中で送信される。
【００５６】
図5の例では、第1のsTTI505および第2のsTTI510は周波数において重複するが、同じでない数のリソースを占有するので、DMRSシーケンスは直交しない。そのような場合、DMRSは異なるインターレースを介して送信され得、第1のsTTI505は第1のDMRSインターレース(DMRSインターレース0)530を使用し、第2のsTTI510は第2のDMRSインターレース(DMRSインターレース1)535を使用する。第2のDMRSインターレース535は、第2のアップリンク周波数リソースに対応する共有DMRSシンボル525の周波数リソースにまたがり得る。したがって、異なるインターレース内で送信される個別のDMRSシーケンスは、周波数において直交する。さらなる例では、上記で説明したように、sTTIのための周波数リソースは、重複せずかつ隣接せず、その場合、各sTTIに対するDMRSシーケンスは独立に生成され、各シーケンスの長さはそれぞれのsTTIに対する周波数割振りに対応する場合がある。
【００５７】
図6は、短縮送信時間間隔ワイヤレス通信のための基準信号パターンおよびパイロットシェアリングに対するプロセスフロー600の一例を示す。プロセスフロー600は、図1および図2を参照しながら説明した対応するデバイスの例であり得る基地局105-bおよびUE115-bを含み得る。基地局105-bおよびUE115-bは、ワイヤレス通信システムに対する確立された接続確立技法に従って接続605を確立し得る。いくつかの例では、UE115-bは、送信のためのアップリンクデータの存在を示し、同じくデータに対するサービスが低レイテンシであるかまたはsTTIを使用し得る他のサービスであることを示し得る、バッファステータス報告(BSR)610を送信し得る。
【００５８】
ブロック615において、基地局105-bは、UE115-aによって送信されるべきアップリンク送信のためのアップリンクリソースを識別し得る。たとえば、基地局105-bは、UE115-bによって示されるアップリンクデータが送信のためにいくつかのsTTIを必要とすることを識別し得、それらのsTTIは、基地局105-bとUE115-bとの間のチャネル条件、送信に使用されるチャネルによってサポートされる変調コーディング方式(MCS)、MIMO構成など、様々な要因に基づいて決定され得る。
【００５９】
ブロック620において、基地局105-bは、DMRS送信のためのアップリンクリソースを確保し得る。リソースのそのような確保は、1msサブフレームのスロット内で送信されるべき2つのsTTIに対する共有DMRSシンボルを識別することを含み得る。場合によっては、上記で説明したように、共有DMRSシンボルはスロットの第3のOFDMシンボル(すなわち、図2のシンボル2)であり、DMRSの送信のために第1のsTTIおよび第2のsTTIによって共有され得る。上記で説明したように、場合によっては、共有DMRSシンボルは、第1のsTTIおよび第2のsTTIの近傍または内部に位置してもよい。
【００６０】
ブロック625において、いくつかの例では、基地局105-bは識別されたsTTIに対してアップリンクリソースを割り振ってもよく、そのsTTIは少なくとも第1のsTTIおよび第2のsTTIに対する割振りを含み得る。リソースの割振りは、UE115-bアップリンクデータをサービスするのに必要なデータシンボルの数に基づいて決定されてもよく、DMRS送信に対するリソースの割振りを含んでもよい。第1のsTTIおよび第2のsTTIが確保されたDMRSリソースを含むかまたはそれに隣接する場合には、割り振られたsTTIが関連する共有DMRSリソースを有することをUE115-bは認識し得るので、DMRSリソースの個別の表示は不要である。
【００６１】
基地局105-bは、ダウンリンク制御情報(DCI)630をUE115-bに送信し得る。DCI630は、たとえば2つ以上のsTTIに対して割り振られたアップリンクリソースを示すsPDCCHアップリンク許可を含み得る。場合によっては、確保されたDMRSリソースは、2つ以上のsTTIのDMRS送信のために使用され得る。UE115-bが、確保されたDMRSリソースを含まないかまたはそれに隣接しない1つまたは複数のsTTIに対してスケジュールされ得るいくつかの場合には、DCI630はそのようなsTTIのためのDMRSリソースの表示を含んでもよく、その表示は確保されたDMRSリソースのリソースを含み得るか、または他のアップリンクリソースを含み得る。
【００６２】
ブロック635において、UE115-aは、sTTIのためのアップリンクリソースおよびDMRSリソースを識別し得る。アップリンクリソースが、知られている共有DMRSリソースを含むかまたはそれに隣接する1つまたは複数のsTTIを含む場合には、UEは、そのようなsTTIのためのDMRSリソースを確保されたDMRSリソースであるとして識別し得る。場合によっては、確保されたDMRSリソースは、たとえば、DCI内で、または他の制御シグナリング内で、または無線リソース制御(RRC)シグナリング内でUEにシグナリングされ得る。sTTIのためのDMRSリソースが確保されたDMRSリソース内に位置しない場合には、UE115-bは、その中でDCI630が受信されるシンボルに加えて、DCI630に続くオフセット(たとえば、2つまたは4つのシンボル)に基づいてDMRS送信に対するシンボルを決定し得る。
【００６３】
ブロック640において、UE115-bは、sTTIに対するDMRSおよび/またはデータ送信を生成し得る。データ送信および/またはDMRSは、たとえば、DCI630内で与えられたアップリンク許可からの割り振られたリソースに基づいて生成され得る。場合によっては、UE115-bまたは別のUEからの第2のsTTIの第2のDMRS送信とDMRS送信とを多重化するために、UE115-aはDMRS送信に巡回シフトを適用し得る。
【００６４】
次いで、UE115-bはアップリンク送信645を基地局105-bに送信してもよく、ブロック650において、基地局105-bは受信された信号の処理を実行してもよい。そのような処理は、1つのsTTIからまたは1つまたは複数の前に受信されたsTTIから送信されたDMRSを使用して、アップリンク送信645を復調することを含み得る。場合によっては、そのような処理は、肯定応答フィードバック処理(たとえば、HARQフィードバック)を含み得る。いくつかの例では、アップリンク送信645のDMRSシーケンスは、sTTIと、確保されたDMRSリソースを共有する異なるsTTIのために使用される周波数リソースとに基づいて決定され得る。
【００６５】
図7は、本開示の様々な態様による、短縮送信時間間隔ワイヤレス通信のための基準信号パターンおよびパイロットシェアリングをサポートするワイヤレスデバイス705のブロック図700を示す。ワイヤレスデバイス705は、図1を参照しながら説明したような基地局105の態様の一例であってもよい。ワイヤレスデバイス705は、受信機710と、基地局アップリンクリソースマネージャ715と、送信機720とを含んでもよい。ワイヤレスデバイス705はまた、プロセッサを含んでもよい。これらの構成要素の各々は、(たとえば、1つまたは複数のバスを介して)互いに通信していてもよい。
【００６６】
受信機710は、パケット、ユーザデータ、または様々な情報チャネル(たとえば、制御チャネル、データチャネル、および短縮送信時間間隔ワイヤレス通信のための基準信号パターンおよびパイロットシェアリングに関連する情報など)に関連付けられた制御情報などの情報を受信し得る。情報は、デバイスの他の構成要素に渡されてよい。受信機710は、図10を参照しながら説明するトランシーバ1035の態様の一例であってもよい。
【００６７】
基地局アップリンクリソースマネージャ715は、図10に関して説明する基地局アップリンクリソースマネージャ1015の態様の一例であってもよい。基地局アップリンクリソースマネージャ715は、OFDMシンボルのセットを含むスロット内の少なくとも第1のTTIおよび第2のTTIに対してアップリンクリソースを割り振ることと、第1のOFDMシンボルの確保されたアップリンクリソースのサブセットをDMRSの送信のために第1のTTIおよび第2のTTIによって共有されるべきスロット内に確保することであって、第1のOFDMシンボルが第1のTTIおよび第2のTTIの近傍または内部に位置する、確保することと、アップリンク送信に対するアップリンク許可をUEに送信することとを行ってもよく、アップリンク許可は割り振られたアップリンクリソースの表示を含む。
【００６８】
送信機720は、デバイスの他の構成要素によって生成された信号を送信してもよい。いくつかの例では、送信機720は、トランシーバモジュールの中で受信機710と一緒に置かれてよい。たとえば、送信機720は、図10を参照しながら説明するトランシーバ1035の態様の一例であってよい。送信機720は、単一のアンテナを含んでよく、またはアンテナのセットを含んでよい。
【００６９】
図8は、本開示の様々な態様による、短縮送信時間間隔ワイヤレス通信のための基準信号パターンおよびパイロットシェアリングをサポートするワイヤレスデバイス805のブロック図800を示す。ワイヤレスデバイス805は、図1および図7を参照しながら説明したようなワイヤレスデバイス705または基地局105の態様の一例であってもよい。ワイヤレスデバイス805は、受信機810と、基地局アップリンクリソースマネージャ815と、送信機820とを含んでもよい。ワイヤレスデバイス805はまた、プロセッサを含んでもよい。これらの構成要素の各々は、(たとえば、1つまたは複数のバスを介して)互いに通信していてもよい。
【００７０】
受信機810は、パケット、ユーザデータ、または様々な情報チャネル(たとえば、制御チャネル、データチャネル、および短縮送信時間間隔ワイヤレス通信のための基準信号パターンおよびパイロットシェアリングに関連する情報など)に関連付けられた制御情報などの情報を受信し得る。情報は、デバイスの他の構成要素に渡されてよい。受信機810は、図10を参照しながら説明するトランシーバ1035の態様の一例であってもよい。
【００７１】
基地局アップリンクリソースマネージャ815は、図10を参照しながら説明する基地局アップリンクリソースマネージャ1015の態様の一例であってもよい。基地局アップリンクリソースマネージャ815はまた、リソース割振り構成要素825、DMRS構成要素830、およびアップリンク許可構成要素835を含み得る。
【００７２】
リソース割振り構成要素825は、OFDMシンボルのセットを含むスロット内の少なくとも第1のTTIおよび第2のTTIに対してアップリンクリソースを割り振り得る。場合によっては、リソース割振り構成要素825は、第1のTTIおよび第2のTTIが周波数リソースの同じセットを含むことを識別することか、第1のTTIが周波数リソースの第1のセットを含むことおよび第2のTTIが周波数リソースの第1のセットに隣接する周波数リソースの第2のセットを含むことを識別することか、第1のTTIが周波数リソースの第1のセットを含むことおよび第2のTTIが周波数リソースの第1のセットのサブセットである周波数リソースの第2のセットを含むことを識別することか、または第1のTTIが周波数リソースの第1のセットを含むことおよび第2のTTIが周波数リソースの第1のセットに隣接せずかつ重複しない周波数リソースの第2のセットを含むことを識別することを行ってもよい。リソース割振り構成要素825は、第1のTTIおよび第2のTTIのための周波数リソースに少なくとも部分的に基づいてDMRSリソースを確保し得る。場合によっては、リソース割振り構成要素825は、第1のTTIが3つのOFDMシンボルを有しかつ第2のTTIが3つのOFDMシンボルを有することを識別してもよく、ここで共有DMRSリソースを含む第1のOFDMシンボルは第1のTTIと第2のTTIとの間の共通のシンボルであり得る。いくつかの例では、リソース割振り構成要素825は、共有DMRSリソースを有する第1のOFDMシンボルに加えて、2つのデータOFDMシンボルかまたは1つのデータOFDMシンボルと1つのパイロットOFDMシンボルとを有するように、第1のTTIまたは第2のTTIのうちの1つまたは複数を構成し得る。場合によっては、割り振られたアップリンクリソースは、第1のOFDMシンボルに隣接しない2つのOFDMシンボルを含む第3のTTIのためのリソースを含み、リソース割振り構成要素825は第3のTTIのためのDMRSリソースを識別し得る。
【００７３】
DMRS構成要素830は、第1のOFDMシンボルの確保されたアップリンクリソースのサブセットをDMRSの送信のために第1のTTIおよび第2のTTIによって共有されるべきスロット内に確保してもよく、第1のOFDMシンボルは第1のTTIおよび第2のTTIの近傍または内部に位置する。第3のTTIが第1のOFDMシンボルに隣接しないリソースを含む場合には、DMRS構成要素830は、第3のTTIのためのDMRSリソースを示すシグナリングを送信し得る。場合によっては、第3のTTIの2つのOFDMシンボルの各々はデータOFDMシンボルであり、ここで第3のTTIのためのDMRSリソースは第1のOFDMシンボル内に位置するリソースを含む。場合によっては、第3のTTIのためのDMRSリソースは、第3のTTIのためのDMRSリソースを示すシグナリングから2つ以上のOFDMシンボルの後ろに位置する。場合によっては、DMRSリソースは、第3のTTIの2つのOFDMシンボルのうちの1つの中のパイロット信号リソース内に含まれる。
【００７４】
アップリンク許可構成要素835はアップリンク送信に対するアップリンク許可をUEに送信してもよく、アップリンク許可は割り振られたアップリンクリソースの表示を含む。
【００７５】
送信機820は、デバイスの他の構成要素によって生成された信号を送信してもよい。いくつかの例では、送信機820は、トランシーバモジュールの中で受信機810と併置され得る。たとえば、送信機820は、図10を参照しながら説明するトランシーバ1035の態様の一例であってよい。送信機820は、単一のアンテナを含むことがあり、またはアンテナのセットを含むことがある。
【００７６】
図9は、本開示の様々な態様による、短縮送信時間間隔ワイヤレス通信のための基準信号パターンおよびパイロットシェアリングをサポートする基地局アップリンクリソースマネージャ915のブロック図900を示す。基地局アップリンクリソースマネージャ915は、図7、図8、および図10に関して説明する、基地局アップリンクリソースマネージャ715、基地局アップリンクリソースマネージャ815、または基地局アップリンクリソースマネージャ1015の態様の一例であってもよい。基地局アップリンクリソースマネージャ915は、リソース割振り構成要素920、DMRS構成要素925、アップリンク許可構成要素930、DMRSシーケンス構成要素935およびDMRSインターレース構成要素940を含み得る。これらのモジュールの各々は、(たとえば、1つまたは複数のバスを介して)互いと直接または間接的に通信してもよい。
【００７７】
リソース割振り構成要素920は、OFDMシンボルのセットを含むスロット内の少なくとも第1のTTIおよび第2のTTIに対してアップリンクリソースを割り振り得る。場合によっては、リソース割振り構成要素920は、第1のTTIおよび第2のTTIが周波数リソースの同じセットを含むことを識別することか、第1のTTIが周波数リソースの第1のセットを含むことおよび第2のTTIが周波数リソースの第1のセットに隣接する周波数リソースの第2のセットを含むことを識別することか、第1のTTIが周波数リソースの第1のセットを含むことおよび第2のTTIが周波数リソースの第1のセットのサブセットである周波数リソースの第2のセットを含むことを識別することか、または第1のTTIが周波数リソースの第1のセットを含むことおよび第2のTTIが周波数リソースの第1のセットに隣接せずかつ重複しない周波数リソースの第2のセットを含むことを識別することを行ってもよい。リソース割振り構成要素920は、第1のTTIおよび第2のTTIのための周波数リソースに少なくとも部分的に基づいてDMRSリソースを確保し得る。場合によっては、リソース割振り構成要素920は、第1のTTIが3つのOFDMシンボルを有しかつ第2のTTIが3つのOFDMシンボルを有することを識別してもよく、ここで共有DMRSリソースを含む第1のOFDMシンボルは、第1のTTIと第2のTTIとの間の共通のシンボルであり得る。いくつかの例では、リソース割振り構成要素920は、共有DMRSリソースを有する第1のOFDMシンボルに加えて、2つのデータOFDMシンボルかまたは1つのデータOFDMシンボルと1つのパイロットOFDMシンボルとを有するように、第1のTTIまたは第2のTTIのうちの1つまたは複数を構成し得る。場合によっては、割り振られたアップリンクリソースは、第1のOFDMシンボルに隣接しない2つのOFDMシンボルを含む第3のTTIのためのリソースを含み、リソース割振り構成要素920は第3のTTIのためのDMRSリソースを識別し得る。
【００７８】
DMRS構成要素925は、第1のOFDMシンボルの確保されたアップリンクリソースのサブセットをDMRSの送信のために第1のTTIおよび第2のTTIによって共有されるべきスロット内に確保してもよく、第1のOFDMシンボルは第1のTTIおよび第2のTTIの近傍または内部に位置する。第3のTTIが第1のOFDMシンボルに隣接しないリソースを含む場合には、DMRS構成要素925は、第3のTTIのためのDMRSリソースを示すシグナリングを送信し得る。場合によっては、第3のTTIの2つのOFDMシンボルの各々はデータOFDMシンボルであり、ここで第3のTTIのためのDMRSリソースは第1のOFDMシンボル内に位置するリソースを含む。場合によっては、第3のTTIのためのDMRSリソースは、第3のTTIのためのDMRSリソースを示すシグナリングから2つ以上のOFDMシンボルの後ろに位置する。場合によっては、DMRSリソースは、第3のTTIの2つのOFDMシンボルのうちの1つの中のパイロット信号リソース内に含まれる。
【００７９】
アップリンク許可構成要素930はアップリンク送信に対するアップリンク許可をUEに送信してもよく、アップリンク許可は割り振られたアップリンクリソースの表示を含む。
【００８０】
DMRSシーケンス構成要素935は、第1のTTIまたは第2のTTIに対するDMRSシーケンスを構成し得る。場合によっては、DMRSシーケンスは、基本DMRSシーケンスの第1の巡回シフト(CS)に基づく場合がある。いくつかの例では、DMRSシーケンス構成要素935は、基本DMRSシーケンスの第2のCSに基づいて、第2のTTIに対する第2のDMRSシーケンスを構成してもよく、第1のDMRSシーケンスおよび第2のDMRSシーケンスは同じ長さを有する。場合によっては、DMRSシーケンス構成要素935は、周波数リソースの第1のセットに対応する第1のシーケンス長を有する第1のTTIに対する第1のDMRSシーケンスを構成することと、第1のDMRSシーケンスとは独立に、周波数リソースの第2のセットに対応する第2のシーケンス長を有する第2のTTIに対する第2のDMRSシーケンスを構成することとを行ってもよい。場合によっては、DMRSシーケンス構成要素935は、周波数リソースの第1のセットと周波数リソースの第2のセットの両方にまたがる第1のシーケンス長を有する第1のTTIに対する第1のDMRSシーケンスを構成することと、周波数リソースの第1のセットと周波数リソースの第2のセットの両方にまたがる第2のシーケンス長を有する第2のTTIに対する第2のDMRSシーケンスを構成することとを行ってもよい。さらなる場合には、DMRSシーケンス構成要素935は、第1のDMRSシーケンスとは独立に、周波数リソースの第1のセットに隣接せずかつ重複しない周波数リソースの第2のセットに対応する第2のシーケンス長を有する第2のTTIに対する第2のDMRSシーケンスを構成してもよい。
【００８１】
DMRSインターレース構成要素940は、第1のTTIに対する第1のDMRSシーケンスの送信のための周波数リソースの第1のセット内に第1のインターレースを構成することであって、第1のDMRSシーケンスが周波数リソースの第1のセットに対応する第1のシーケンス長を有する、構成することと、第2のTTIに対する第2のDMRSシーケンスの送信のための周波数リソースの第1のセットのサブセット内に第2のインターレースを構成することとを行ってもよく、第2のDMRSシーケンスは周波数リソースの第2のセットに対応する第2のシーケンス長を有する。
【００８２】
図10は、本開示の様々な態様による、短縮送信時間間隔ワイヤレス通信のための基準信号パターンおよびパイロットシェアリングをサポートするデバイス1005を含むシステム1000の図を示す。デバイス1005は、たとえば、図1、図7、および図8を参照しながら上記で説明したような、ワイヤレスデバイス705、ワイヤレスデバイス805、または基地局105の構成要素の一例であるか、またはそれを含んでもよい。デバイス1005は、通信を送信および受信するための構成要素を含む、双方向音声およびデータ通信のための構成要素を含んでもよく、基地局アップリンクリソースマネージャ1015、プロセッサ1020、メモリ1025、ソフトウェア1030、トランシーバ1035、アンテナ1040、ネットワーク通信マネージャ1045、および基地局通信マネージャ1050を含む。これらの構成要素は、1つまたは複数のバス(たとえば、バス1010)を介して電子通信していてもよい。デバイス1005は、1つまたは複数のUE115とワイヤレス通信し得る。
【００８３】
基地局アップリンクリソースマネージャ1015は、図7の基地局アップリンクリソースマネージャ715、図8の基地局アップリンクリソースマネージャ815、または図9の基地局アップリンクリソースマネージャ915の一例であってもよい。
【００８４】
プロセッサ1020は、インテリジェントハードウェアデバイス(たとえば、汎用プロセッサ、デジタル信号プロセッサ(DSP)、中央処理ユニット(CPU)、マイクロコントローラ、特定用途向け集積回路(ASIC)、フィールドプログラマブルゲートアレイ(FPGA)、プログラマブル論理デバイス、個別ゲートもしくはトランジスタ論理構成要素、個別ハードウェア構成要素、またはそれらの任意の組合せ)を含み得る。場合によっては、プロセッサ1020は、メモリコントローラを使用して、メモリアレイを動作させるように構成されてもよい。他の場合には、メモリコントローラは、プロセッサ1020に組み込まれてもよい。プロセッサ1020は、様々な機能(たとえば、短縮送信時間間隔ワイヤレス通信のための基準信号パターンおよびパイロットシェアリングをサポートする機能またはタスク)を実行するために、メモリに記憶されたコンピュータ可読命令を実行するように構成され得る。
【００８５】
メモリ1025は、ランダムアクセスメモリ(RAM)および読取り専用メモリ(ROM)を含んでもよい。メモリ1025は、実行されると、プロセッサに、本明細書で説明する様々な機能を実行させる命令を含む、コンピュータ可読、コンピュータ実行可能ソフトウェア1030を記憶してもよい。場合によっては、メモリ1025は、とりわけ、周辺構成要素または周辺デバイスとの相互作用などの基本的なハードウェア動作および/またはソフトウェア動作を制御し得る基本入出力システム(BIOS)を含み得る。
【００８６】
ソフトウェア1030は、短縮送信時間間隔ワイヤレス通信のための基準信号パターンおよびパイロットシェアリングをサポートするためのコードを含む、本開示の態様を実装するためのコードを含み得る。ソフトウェア1030は、システムメモリまたは他のメモリなどの非一時的コンピュータ可読媒体内に記憶されてもよい。場合によっては、ソフトウェア1030は、プロセッサによって直接実行可能でないことがあるが、(たとえば、コンパイルおよび実行されたとき)本明細書で説明する機能をコンピュータに実行させてよい。
【００８７】
トランシーバ1035は、上記で説明したように、1つまたは複数のアンテナ、ワイヤードリンク、またはワイヤレスリンクを介して双方向に通信してもよい。たとえば、トランシーバ1035は、ワイヤレストランシーバを表してよく、別のワイヤレストランシーバと双方向に通信し得る。トランシーバ1035はまた、送信のためにパケットを変調するとともに被変調パケットをアンテナに提供するための、またアンテナから受信されたパケットを復調するための、モデムを含み得る。
【００８８】
場合によっては、ワイヤレスデバイスは、単一のアンテナ1040を含み得る。しかしながら、場合によっては、デバイスは、複数のワイヤレス送信を同時に送信または受信することが可能であり得る複数のアンテナ1040を有し得る。
【００８９】
ネットワーク通信マネージャ1045は、(たとえば、1つまたは複数のワイヤードバックホールリンクを介して)コアネットワークとの通信を管理してもよい。たとえば、ネットワーク通信マネージャ1045は、1つまたは複数のUE115などのクライアントデバイスのためのデータ通信の転送を管理してもよい。
【００９０】
基地局通信マネージャ1050は、他の基地局105との通信を管理してもよく、他の基地局105と協調してUE115との通信を制御するためのコントローラまたはスケジューラを含んでもよい。たとえば、基地局通信マネージャ1050は、ビームフォーミングまたはジョイント送信などの様々な干渉緩和技法のために、UE115への送信のためのスケジューリングを協調させてもよい。いくつかの例では、基地局通信マネージャ1050は、基地局105同士の間で通信を行うために、ロングタームエボリューション(LTE)/LTE-AまたはNRワイヤレス通信ネットワーク技術内のX2インターフェースを提供し得る。
【００９１】
図11は、本開示の様々な態様による、短縮送信時間間隔ワイヤレス通信のための基準信号パターンおよびパイロットシェアリングをサポートするワイヤレスデバイス1105のブロック図1100を示す。ワイヤレスデバイス1105は、図1を参照しながら説明したようなUE115の態様の一例であってもよい。ワイヤレスデバイス1105は、受信機1110、UEアップリンクリソースマネージャ1115、および送信機1120を含み得る。ワイヤレスデバイス1105はまた、プロセッサを含んでもよい。これらの構成要素の各々は、(たとえば、1つまたは複数のバスを介して)互いに通信していてもよい。
【００９２】
受信機1110は、パケット、ユーザデータ、または様々な情報チャネル(たとえば、制御チャネル、データチャネル、および短縮送信時間間隔ワイヤレス通信のための基準信号パターンおよびパイロットシェアリングに関連する情報など)に関連付けられた制御情報などの情報を受信し得る。情報は、デバイスの他の構成要素に渡されてよい。受信機1110は、図14を参照して説明するトランシーバ1435の態様の例であってよい。いくつかの例では、受信機1110は、1つまたは複数のTTIのためのDMRSリソースを示すシグナリングを受信してもよい。
【００９３】
UEアップリンクリソースマネージャ1115は、図14に関して説明するUEアップリンクリソースマネージャ1415の態様の一例であってもよい。UEアップリンクリソースマネージャ1115は、OFDMシンボルのセットを含むスロット内の少なくとも第1のTTIおよび第2のTTIに対するアップリンクリソースの割振りを基地局から受信することと、DMRSの送信のために第1のTTIおよび第2のTTIによって共有されるべきスロット内で第1のOFDMシンボルの確保されたアップリンクリソースを識別することとを行ってもよく、第1のOFDMシンボルは第1のTTIおよび第2のTTIの近傍または内部に位置する。
【００９４】
送信機1120は、デバイスの他の構成要素によって生成された信号を送信してもよい。いくつかの例では、送信機1120は、トランシーバモジュール内で受信機1110とコロケートされてもよい。たとえば、送信機1120は、図14を参照して説明するトランシーバ1435の態様の一例であり得る。送信機1120は、単一のアンテナを含んでもよく、またはアンテナのセットを含んでもよい。
【００９５】
いくつかの例では、送信機1120は、UEアップリンクリソースマネージャ1115と連携して、割り振られたアップリンクリソースおよび確保されたアップリンクリソースを使用して基地局に、第1のOFDMシンボル内の1つまたは複数のDMRSシーケンスを送信し、第1のOFDMシンボル内の異なるインターレース内のDMRSシーケンスを送信し、1つまたは複数のアップリンク送信を送信し得る。
【００９６】
図12は、本開示の様々な態様による、短縮送信時間間隔ワイヤレス通信のための基準信号パターンおよびパイロットシェアリングをサポートするワイヤレスデバイス1205のブロック図1200を示す。ワイヤレスデバイス1205は、図1および図11を参照しながら説明したような、ワイヤレスデバイス1105またはUE115の態様の一例であってもよい。ワイヤレスデバイス1205は、受信機1210、UEアップリンクリソースマネージャ1215、および送信機1220を含み得る。ワイヤレスデバイス1205はまた、プロセッサを含んでもよい。これらの構成要素の各々は、(たとえば、1つまたは複数のバスを介して)互いに通信していてもよい。
【００９７】
受信機1210は、パケット、ユーザデータ、または様々な情報チャネル(たとえば、制御チャネル、データチャネル、および短縮送信時間間隔ワイヤレス通信のための基準信号パターンおよびパイロットシェアリングに関連する情報など)に関連付けられた制御情報などの情報を受信し得る。情報は、デバイスの他の構成要素に渡されてよい。受信機1210は、図14を参照して説明するトランシーバ1435の態様の例であってよい。
【００９８】
UEアップリンクリソースマネージャ1215は、図14に関して説明するUEアップリンクリソースマネージャ1415の態様の一例であってもよい。UEアップリンクリソースマネージャ1215はまた、リソース割振り構成要素1225およびDMRS構成要素1230を含み得る。
【００９９】
リソース割振り構成要素1225は、OFDMシンボルのセットを含むスロット内の少なくとも第1のTTIおよび第2のTTIに対するアップリンクリソースの割振りを基地局から受信し得る。場合によっては、リソース割振り構成要素1225は、第1のTTIおよび第2のTTIが周波数リソースの同じセットを含むことを識別することか、第1のTTIが周波数リソースの第1のセットを含むことおよび第2のTTIが周波数リソースの第1のセットに隣接する周波数リソースの第2のセットを含むことを識別することか、第1のTTIが周波数リソースの第1のセットを含むことおよび第2のTTIが周波数リソースの第1のセットのサブセットである周波数リソースの第2のセットを含むことを識別することか、または第1のTTIが周波数リソースの第1のセットを含むことおよび第2のTTIが周波数リソースの第1のセットに隣接せずかつ重複しない周波数リソースの第2のセットを含むことを識別することを行ってもよい。場合によっては、リソース割振り構成要素1225は、第1のTTIが3つのOFDMシンボルを有しかつ第2のTTIが3つのOFDMシンボルを有することを識別してもよく、ここで第1のOFDMシンボルは第1のTTIと第2のTTIとの間で共有される。場合によっては、第1のTTIまたは第2のTTIのうちの1つまたは複数は、第1のOFDMシンボルに加えて、2データOFDMシンボル、または1データOFDMシンボルおよび1パイロットOFDMシンボルを含む。場合によっては、アップリンクリソースの割振りは、第1のOFDMシンボルに隣接しない2つのOFDMシンボルを含む第3のTTIのためのアップリンクリソースをさらに含む。
【０１００】
DMRS構成要素1230は、復調基準信号(DMRS)の送信のために第1のTTIおよび第2のTTIによって共有されるべきスロット内で第1のOFDMシンボルの確保されたアップリンクリソースを識別してもよく、第1のOFDMシンボルは第1のTTIおよび第2のTTIの近傍または内部に位置する。
【０１０１】
送信機1220は、デバイスの他の構成要素によって生成された信号を送信してもよい。いくつかの例では、送信機1220は、トランシーバモジュール内で受信機1210とコロケートされてもよい。たとえば、送信機1220は、図14を参照して説明するトランシーバ1435の態様の一例であり得る。送信機1220は、単一のアンテナを含んでもよく、またはアンテナのセットを含んでもよい。
【０１０２】
図13は、本開示の様々な態様による、短縮送信時間間隔ワイヤレス通信のための基準信号パターンおよびパイロットシェアリングをサポートするUEアップリンクリソースマネージャ1315のブロック図1300を示す。UEアップリンクリソースマネージャ1315は、図11、図12、および図14に関して説明するUEアップリンクリソースマネージャ1415の態様の一例であってもよい。UEアップリンクリソースマネージャ1315は、リソース割振り構成要素1320、DMRS構成要素1325、DMRSシーケンス構成要素1330およびDMRSインターレース構成要素1335を含み得る。これらのモジュールの各々は、(たとえば、1つまたは複数のバスを介して)互いと直接または間接的に通信してもよい。
【０１０３】
リソース割振り構成要素1320は、OFDMシンボルのセットを含むスロット内の少なくとも第1のTTIおよび第2のTTIに対するアップリンクリソースの割振りを基地局から受信し得る。場合によっては、リソース割振り構成要素1320は、第1のTTIおよび第2のTTIが周波数リソースの同じセットを含むことを識別することか、第1のTTIが周波数リソースの第1のセットを含むことおよび第2のTTIが周波数リソースの第1のセットに隣接する周波数リソースの第2のセットを含むことを識別することか、第1のTTIが周波数リソースの第1のセットを含むことおよび第2のTTIが周波数リソースの第1のセットのサブセットである周波数リソースの第2のセットを含むことを識別することか、または第1のTTIが周波数リソースの第1のセットを含むことおよび第2のTTIが周波数リソースの第1のセットに隣接せずかつ重複しない周波数リソースの第2のセットを含むことを識別することを行ってもよい。場合によっては、リソース割振り構成要素1320は、第1のTTIが3つのOFDMシンボルを有しかつ第2のTTIが3つのOFDMシンボルを有することを識別してもよく、ここで第1のOFDMシンボルは第1のTTIと第2のTTIとの間で共有される。場合によっては、第1のTTIまたは第2のTTIのうちの1つまたは複数は、第1のOFDMシンボルに加えて、2データOFDMシンボル、または1データOFDMシンボルおよび1パイロットOFDMシンボルを含む。場合によっては、アップリンクリソースの割振りは、第1のOFDMシンボルに隣接しない2つのOFDMシンボルを含む第3のTTIのためのアップリンクリソースをさらに含む。
【０１０４】
DMRS構成要素1325は、復調基準信号(DMRS)の送信のために第1のTTIおよび第2のTTIによって共有されるべきスロット内で第1のOFDMシンボルの確保されたアップリンクリソースを識別してもよく、第1のOFDMシンボルは第1のTTIおよび第2のTTIの近傍または内部に位置する。
【０１０５】
DMRSシーケンス構成要素1330は、基本DMRSシーケンスの第1の巡回シフト(CS)に基づいて第1のTTIに対する第1のDMRSシーケンスを生成することと、基本DMRSシーケンスの第2のCSに基づいて第2のTTIに対する第2のDMRSシーケンスを生成することとを行ってもよく、第1のDMRSシーケンスおよび第2のDMRSシーケンスは同じ長さを有する。場合によっては、DMRSシーケンス構成要素1330は、周波数リソースの第1のセットに対応する第1のシーケンス長を有する第1のTTIに対する第1のDMRSシーケンスを生成することと、第1のDMRSシーケンスとは独立に、周波数リソースの第2のセットに対応する第2のシーケンス長を有する第2のTTIに対する第2のDMRSシーケンスを生成することとを行ってもよい。場合によっては、DMRSシーケンス構成要素1330は、第1のOFDMシンボル内で第1のDMRSシーケンスおよび第2のDMRSシーケンスを送信してもよい。場合によっては、DMRSシーケンス構成要素1330は、周波数リソースの第1のセットと周波数リソースの第2のセットの両方にまたがる第1のシーケンス長を有する第1のTTIに対する第1のDMRSシーケンスを生成することと、周波数リソースの第1のセットと周波数リソースの第2のセットの両方にまたがる第2のシーケンス長を有する第2のTTIに対する第2のDMRSシーケンスを生成することとを行ってもよい。場合によっては、DMRSシーケンス構成要素1330は、第1のDMRSシーケンスとは独立に、周波数リソースの第1のセットに隣接せずかつ重複しない周波数リソースの第2のセットに対応する第2のシーケンス長を有する第2のTTIに対する第2のDMRSシーケンスを生成してもよい。
【０１０６】
DMRSインターレース構成要素1335は、第1のTTIに対する第1のDMRSシーケンスの送信に対する周波数リソースの第1のセット内に第1のインターレースを構成することと、第2のTTIに対する第2のDMRSシーケンスの送信に対する周波数リソースの第1のセットのサブセット内に第2のインターレースを構成することとを行ってもよい。
【０１０７】
図14は、本開示の様々な態様による、短縮送信時間間隔ワイヤレス通信のための基準信号パターンおよびパイロットシェアリングをサポートするデバイス1405を含むシステム1400の図を示す。デバイス1405は、たとえば、図1を参照しながら上記で説明したようなUE115の構成要素の一例であるか、またはそれを含んでもよい。デバイス1405は、通信を送信および受信するための構成要素を含む、双方向音声およびデータ通信のための構成要素を含んでもよく、UEアップリンクリソースマネージャ1415、プロセッサ1420、メモリ1425、ソフトウェア1430、トランシーバ1435、アンテナ1440、およびI/Oコントローラ1445を含む。これらの構成要素は、1つまたは複数のバス(たとえば、バス1410)を介して電子通信していてもよい。デバイス1405は、1つまたは複数の基地局105とワイヤレス通信してもよい。
【０１０８】
UEアップリンクリソースマネージャ1415は、図11のUEアップリンクリソースマネージャ1115、図12のUEアップリンクリソースマネージャ1215、または図13のUEアップリンクリソースマネージャ1315の一例であってもよい。
【０１０９】
プロセッサ1420は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理構成要素、個別ハードウェア構成要素、またはそれらの任意の組合せ)を含んでもよい。場合によっては、プロセッサ1420は、メモリコントローラを使用して、メモリアレイを動作させるように構成されてもよい。他の場合には、メモリコントローラは、プロセッサ1420に組み込まれてもよい。プロセッサ1420は、様々な機能(たとえば、短縮送信時間間隔ワイヤレス通信のための基準信号パターンおよびパイロットシェアリングをサポートする機能またはタスク)を実行するために、メモリに記憶されたコンピュータ可読命令を実行するように構成され得る。
【０１１０】
メモリ1425は、RAMおよびROMを含んでもよい。メモリ1425は、実行されると、プロセッサに、本明細書で説明する様々な機能を実行させる命令を含む、コンピュータ可読、コンピュータ実行可能ソフトウェア1430を記憶してもよい。場合によっては、メモリ1425は、とりわけ、周辺構成要素またはデバイスとの相互作用など、基本的ハードウェアおよび/またはソフトウェア動作を制御してもよい、BIOSを含んでもよい。
【０１１１】
ソフトウェア1430は、短縮送信時間間隔ワイヤレス通信のための基準信号パターンおよびパイロットシェアリングをサポートするためのコードを含む、本開示の態様を実装するためのコードを含み得る。ソフトウェア1430は、システムメモリまたは他のメモリなどの非一時的コンピュータ可読媒体内に記憶されてもよい。場合によっては、ソフトウェア1430は、プロセッサによって直接実行可能ではない場合があるが、(たとえば、コンパイルされ、実行されたときに)本明細書で説明する機能をコンピュータに実行させてもよい。
【０１１２】
トランシーバ1435は、上記で説明したように、1つまたは複数のアンテナ、ワイヤードリンク、またはワイヤレスリンクを介して双方向に通信してもよい。たとえば、トランシーバ1435は、ワイヤレストランシーバを表すことがあり、別のワイヤレストランシーバと双方向に通信し得る。トランシーバ1435はまた、送信のためにパケットを変調するとともに被変調パケットをアンテナに提供するための、またアンテナから受信されたパケットを復調するための、モデムを含み得る。
【０１１３】
場合によっては、ワイヤレスデバイスは、単一のアンテナ1440を含み得る。しかしながら、いくつかの場合、デバイスは、複数のワイヤレス送信を同時に送信または受信することが可能であり得る複数のアンテナ1440を有し得る。
【０１１４】
I/Oコントローラ1445は、デバイス1405のための入力および出力信号を管理してもよい。I/Oコントローラ1445はまた、デバイス1405に統合されていない周辺装置を管理し得る。場合によっては、I/Oコントローラ1445は、外部周辺機器への物理的接続またはポートを表してもよい。場合によっては、I/Oコントローラ1445は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどのオペレーティングシステムを利用してもよい。
【０１１５】
図15は、本開示の様々な態様による、短縮送信時間間隔ワイヤレス通信のための基準信号パターンおよびパイロットシェアリングのための方法1500を示すフローチャートを示す。方法1500の動作は、本明細書で説明したような基地局105またはその構成要素によって実施され得る。たとえば、方法1500の動作は、図7〜図10を参照しながら説明したように、基地局アップリンクリソースマネージャによって実行されてもよい。いくつかの例では、基地局105は、以下で説明する機能を実行するようにデバイスの機能要素を制御するためのコードのセットを実行してよい。追加または代替として、基地局105は、専用ハードウェアを使用して、以下で説明する機能の態様を実行してもよい。
【０１１６】
ブロック1505において、基地局105は、複数のOFDMシンボルを含むスロット内の少なくとも第1のTTIおよび第2のTTIに対してアップリンクリソースを割り振り得る。ブロック1505の動作は、図1〜図6を参照しながら説明した方法に従って実行されてもよい。いくつかの例では、ブロック1505の動作の態様は、図7〜図10を参照しながら説明したように、リソース割振り構成要素によって実行されてもよい。
【０１１７】
ブロック1510において、基地局105は、第1のOFDMシンボルの確保されたアップリンクリソースのサブセットをDMRSの送信のために第1のTTIおよび第2のTTIによって共有されるべきスロット内に確保してもよく、第1のOFDMシンボルは第1のTTIおよび第2のTTIの近傍または内部に位置する。ブロック1510の動作は、図1〜図6を参照しながら説明した方法に従って実行されてもよい。いくつかの例では、ブロック1510の動作の態様は、図7〜図10を参照しながら説明したように、DMRS構成要素によって実行され得る。
【０１１８】
ブロック1515において、基地局105はアップリンク送信に対するアップリンク許可をUEに送信してもよく、アップリンク許可は割り振られたアップリンクリソースの表示を含む。ブロック1515の動作は、図1〜図6を参照しながら説明した方法に従って実行されてもよい。いくつかの例では、ブロック1515の動作の態様は、図7〜図10に関して説明したアップリンク許可構成要素によって実行されてもよく、アップリンク許可構成要素は、図7または図8で説明した送信機720または820、あるいは図10に関して説明したアンテナ1040およびトランシーバ1035と協調して動作してもよい。
【０１１９】
図16は、本開示の様々な態様による、短縮送信時間間隔ワイヤレス通信のための基準信号パターンおよびパイロットシェアリングのための方法1600を示すフローチャートを示す。方法1600の動作は、本明細書で説明したような基地局105またはその構成要素によって実施され得る。たとえば、方法1600の動作は、図7〜図10を参照しながら説明したように、基地局アップリンクリソースマネージャによって実行されてもよい。いくつかの例では、基地局105は、以下で説明する機能を実行するようにデバイスの機能要素を制御するためのコードのセットを実行してよい。追加または代替として、基地局105は、専用ハードウェアを使用して、以下で説明する機能の態様を実行してもよい。
【０１２０】
ブロック1605において、基地局105は、複数のOFDMシンボルを含むスロット内の少なくとも第1のTTIおよび第2のTTIに対してアップリンクリソースを割り振り得る。ブロック1605の動作は、図1〜図6を参照しながら説明した方法に従って実行されてもよい。いくつかの例では、ブロック1605の動作の態様は、図7〜図10を参照しながら説明したように、リソース割振り構成要素によって実行されてもよい。
【０１２１】
ブロック1610において、基地局105は、第1のTTIおよび第2のTTIが周波数リソースの同じセットを含むことを識別し得る。ブロック1610の動作は、図1〜図6を参照しながら説明した方法に従って実行されてもよい。いくつかの例では、ブロック1610の動作の態様は、図7〜図10を参照しながら説明したように、リソース割振り構成要素によって実行されてもよい。
【０１２２】
ブロック1615において、基地局105は、第1のOFDMシンボルの確保されたアップリンクリソースのサブセットをDMRSの送信のために第1のTTIおよび第2のTTIによって共有されるべきスロット内に確保してもよく、第1のOFDMシンボルは第1のTTIおよび第2のTTIの近傍または内部に位置する。ブロック1615の動作は、図1〜図6を参照しながら説明した方法に従って実行されてもよい。いくつかの例では、ブロック1615の動作の態様は、図7〜図10を参照しながら説明したように、DMRS構成要素によって実行され得る。
【０１２３】
ブロック1620において、基地局105は、基本DMRSシーケンスの第1の巡回シフト(CS)に基づいて、第1のTTIに対する第1のDMRSシーケンスを構成してもよい。ブロック1620の動作は、図1〜図6を参照しながら説明した方法に従って実行されてもよい。いくつかの例では、ブロック1620の動作の態様は、図7〜図10を参照しながら説明したように、DMRSシーケンス構成要素によって実行され得る。
【０１２４】
ブロック1625において、基地局105は、基本DMRSシーケンスの第2のCSに基づいて、第2のTTIに対する第2のDMRSシーケンスを構成してもよく、第1のDMRSシーケンスおよび第2のDMRSシーケンスは同じ長さを有する。ブロック1625の動作は、図1〜図6を参照しながら説明した方法に従って実行されてもよい。いくつかの例では、ブロック1625の動作の態様は、図7〜図10を参照しながら説明したようなDMRSシーケンス構成要素によって実行され得る。
【０１２５】
ブロック1630において、基地局105はアップリンク送信に対するアップリンク許可をUEに送信してもよく、アップリンク許可は割り振られたアップリンクリソースの表示を含む。ブロック1630の動作は、図1〜図6を参照しながら説明した方法に従って実行されてもよい。いくつかの例では、ブロック1630の動作の態様は、図7〜図10に関して説明したアップリンク許可構成要素によって実行されてもよく、アップリンク許可構成要素は、図7または図8で説明した送信機720または820、あるいは図10に関して説明したアンテナ1040およびトランシーバ1035と協調して動作してもよい。
【０１２６】
図17は、本開示の様々な態様による、短縮送信時間間隔ワイヤレス通信のための基準信号パターンおよびパイロットシェアリングのための方法1700を示すフローチャートを示す。方法1700の動作は、本明細書で説明したような基地局105またはその構成要素によって実施され得る。たとえば、方法1700の動作は、図7〜図10を参照しながら説明したように、基地局アップリンクリソースマネージャによって実行されてもよい。いくつかの例では、基地局105は、以下で説明する機能を実行するようにデバイスの機能要素を制御するためのコードのセットを実行してよい。追加または代替として、基地局105は、専用ハードウェアを使用して、以下で説明する機能の態様を実行してもよい。
【０１２７】
ブロック1705において、基地局105は、複数のOFDMシンボルを含むスロット内の少なくとも第1のTTIおよび第2のTTIに対してアップリンクリソースを割り振り得る。ブロック1705の動作は、図1〜図6を参照しながら説明した方法に従って実行されてもよい。いくつかの例では、ブロック1705の動作の態様は、図7〜図10を参照しながら説明したように、リソース割振り構成要素によって実行されてもよい。
【０１２８】
ブロック1710において、基地局105は、第1のTTIが周波数リソースの第1のセットを含むことおよび第2のTTIが周波数リソースの第1のセットに隣接する周波数リソースの第2のセットを含むことを識別してもよい。ブロック1710の動作は、図1〜図6を参照しながら説明した方法に従って実行されてもよい。いくつかの例では、ブロック1710の動作の態様は、図7〜図10を参照しながら説明したように、リソース割振り構成要素によって実行されてもよい。
【０１２９】
ブロック1715において、基地局105は、第1のOFDMシンボルの確保されたアップリンクリソースのサブセットをDMRSの送信のために第1のTTIおよび第2のTTIによって共有されるべきスロット内に確保してもよく、第1のOFDMシンボルは第1のTTIおよび第2のTTIの近傍または内部に位置する。ブロック1715の動作は、図1〜図6を参照しながら説明した方法に従って実行されてもよい。いくつかの例では、ブロック1715の動作の態様は、図7〜図10を参照しながら説明したように、DMRS構成要素によって実行され得る。
【０１３０】
ブロック1720において、基地局105は、周波数リソースの第1のセットに対応する第1のシーケンス長を有する第1のTTIに対する第1のDMRSシーケンスを構成してもよい。ブロック1720の動作は、図1〜図6を参照しながら説明した方法に従って実行されてもよい。いくつかの例では、ブロック1720の動作の態様は、図7〜図10を参照しながら説明したようなDMRSシーケンス構成要素によって実行され得る。
【０１３１】
ブロック1725において、基地局105は、第1のDMRSシーケンスとは独立に、周波数リソースの第2のセットに対応する第2のシーケンス長を有する第2のTTIに対する第2のDMRSシーケンスを構成してもよい。ブロック1725の動作は、図1〜図6を参照しながら説明した方法に従って実行されてもよい。いくつかの例では、ブロック1725の動作の態様は、図7〜図10を参照しながら説明したようなDMRSシーケンス構成要素によって実行され得る。
【０１３２】
ブロック1730において、基地局105はアップリンク送信に対するアップリンク許可をUEに送信してもよく、アップリンク許可は割り振られたアップリンクリソースの表示を含む。ブロック1730の動作は、図1〜図6を参照しながら説明した方法に従って実行されてもよい。いくつかの例では、ブロック1730の動作の態様は、図7〜図10に関して説明したアップリンク許可構成要素によって実行されてもよく、アップリンク許可構成要素は、図7または図8で説明した送信機720または820、あるいは図10に関して説明したアンテナ1040およびトランシーバ1035と協調して動作してもよい。
【０１３３】
図18は、本開示の様々な態様による、短縮送信時間間隔ワイヤレス通信のための基準信号パターンおよびパイロットシェアリングのための方法1800を示すフローチャートを示す。方法1800の動作は、本明細書で説明したような基地局105またはその構成要素によって実施され得る。たとえば、方法1800の動作は、図7〜図10を参照しながら説明したように、基地局アップリンクリソースマネージャによって実行されてもよい。いくつかの例では、基地局105は、以下で説明する機能を実行するようにデバイスの機能要素を制御するためのコードのセットを実行してよい。追加または代替として、基地局105は、専用ハードウェアを使用して、以下で説明する機能の態様を実行してもよい。
【０１３４】
ブロック1805において、基地局105は、複数のOFDMシンボルを含むスロット内の少なくとも第1のTTIおよび第2のTTIに対してアップリンクリソースを割り振り得る。ブロック1805の動作は、図1〜図6を参照しながら説明した方法に従って実行されてもよい。いくつかの例では、ブロック1805の動作の態様は、図7〜図10を参照しながら説明したように、リソース割振り構成要素によって実行されてもよい。
【０１３５】
ブロック1810において、基地局105は、第1のTTIが周波数リソースの第1のセットを含むことおよび第2のTTIが周波数リソースの第1のセットに隣接する周波数リソースの第2のセットを含むことを識別してもよい。ブロック1810の動作は、図1〜図6を参照しながら説明した方法に従って実行されてもよい。いくつかの例では、ブロック1810の動作の態様は、図7〜図10を参照しながら説明したように、リソース割振り構成要素によって実行されてもよい。
【０１３６】
ブロック1815において、基地局105は、第1のOFDMシンボルの確保されたアップリンクリソースのサブセットをDMRSの送信のために第1のTTIおよび第2のTTIによって共有されるべきスロット内に確保してもよく、第1のOFDMシンボルは第1のTTIおよび第2のTTIの近傍または内部に位置する。ブロック1815の動作は、図1〜図6を参照しながら説明した方法に従って実行されてもよい。いくつかの例では、ブロック1815の動作の態様は、図7〜図10を参照しながら説明したように、DMRS構成要素によって実行され得る。
【０１３７】
ブロック1820において、基地局105は、周波数リソースの第1のセットと周波数リソースの第2のセットの両方にまたがる第1のシーケンス長を有する第1のTTIに対する第1のDMRSシーケンスを構成してもよい。ブロック1820の動作は、図1〜図6を参照しながら説明した方法に従って実行されてもよい。いくつかの例では、ブロック1820の動作の態様は、図7〜図10を参照しながら説明したようなDMRSシーケンス構成要素によって実行され得る。
【０１３８】
ブロック1825において、基地局105は、周波数リソースの第1のセットと周波数リソースの第2のセットの両方にまたがる第2のシーケンス長を有する第2のTTIに対する第2のDMRSシーケンスを構成してもよい。ブロック1825の動作は、図1〜図6を参照しながら説明した方法に従って実行されてもよい。いくつかの例では、ブロック1825の動作の態様は、図7〜図10を参照しながら説明したようなDMRSシーケンス構成要素によって実行され得る。
【０１３９】
ブロック1830において、基地局105はアップリンク送信に対するアップリンク許可をUEに送信してもよく、アップリンク許可は割り振られたアップリンクリソースの表示を含む。ブロック1830の動作は、図1〜図6を参照しながら説明した方法に従って実行されてもよい。いくつかの例では、ブロック1830の動作の態様は、図7〜図10に関して説明したアップリンク許可構成要素によって実行されてもよく、アップリンク許可構成要素は、図7または図8で説明した送信機720または820、あるいは図10に関して説明したアンテナ1040およびトランシーバ1035と協調して動作してもよい。
【０１４０】
図19は、本開示の様々な態様による、短縮送信時間間隔ワイヤレス通信のための基準信号パターンおよびパイロットシェアリングのための方法1900を示すフローチャートを示す。方法1900の動作は、本明細書で説明したような基地局105またはその構成要素によって実施され得る。たとえば、方法1900の動作は、図7〜図10を参照しながら説明したように、基地局アップリンクリソースマネージャによって実行されてもよい。いくつかの例では、基地局105は、以下で説明する機能を実行するようにデバイスの機能要素を制御するためのコードのセットを実行してよい。追加または代替として、基地局105は、専用ハードウェアを使用して、以下で説明する機能の態様を実行してもよい。
【０１４１】
ブロック1905において、基地局105は、複数のOFDMシンボルを含むスロット内の少なくとも第1のTTIおよび第2のTTIに対してアップリンクリソースを割り振り得る。ブロック1905の動作は、図1〜図6を参照しながら説明した方法に従って実行されてもよい。いくつかの例では、ブロック1905の動作の態様は、図7〜図10を参照しながら説明したように、リソース割振り構成要素によって実行されてもよい。
【０１４２】
ブロック1910において、基地局105は、第1のTTIが周波数リソースの第1のセットを含むことおよび第2のTTIが周波数リソースの第1のセットのサブセットである周波数リソースの第2のセットを含むことを識別してもよい。ブロック1910の動作は、図1〜図6を参照しながら説明した方法に従って実行されてもよい。いくつかの例では、ブロック1910の動作の態様は、図7〜図10を参照しながら説明したように、リソース割振り構成要素によって実行されてもよい。
【０１４３】
ブロック1915において、基地局105は、第1のOFDMシンボルの確保されたアップリンクリソースのサブセットをDMRSの送信のために第1のTTIおよび第2のTTIによって共有されるべきスロット内に確保してもよく、第1のOFDMシンボルは第1のTTIおよび第2のTTIの近傍または内部に位置する。ブロック1915の動作は、図1〜図6を参照しながら説明した方法に従って実行されてもよい。いくつかの例では、ブロック1915の動作の態様は、図7〜図10を参照しながら説明したように、DMRS構成要素によって実行され得る。
【０１４４】
ブロック1920において、基地局105は、第1のTTIに対する第1のDMRSシーケンスの送信のための周波数リソースの第1のセット内に第1のインターレースを構成してもよく、第1のDMRSシーケンスは周波数リソースの第1のセットに対応する第1のシーケンス長を有する。ブロック1920の動作は、図1〜図6を参照しながら説明した方法に従って実行されてもよい。いくつかの例では、ブロック1920の動作の態様は、図7〜図10に関して説明したDMRSインターレース構成要素によって実行され得る。
【０１４５】
ブロック1925において、基地局105は、第2のTTIに対する第2のDMRSシーケンスの送信のための周波数リソースの第1のセットのサブセット内に第2のインターレースを構成してもよく、第2のDMRSシーケンスは周波数リソースの第2のセットに対応する第2のシーケンス長を有する。ブロック1925の動作は、図1〜図6を参照しながら説明した方法に従って実行されてもよい。いくつかの例では、ブロック1925の動作の態様は、図7〜図10に関して説明したDMRSインターレース構成要素によって実行され得る。
【０１４６】
ブロック1930において、基地局105はアップリンク送信に対するアップリンク許可をUEに送信してもよく、アップリンク許可は割り振られたアップリンクリソースの表示を含む。ブロック1930の動作は、図1〜図6を参照しながら説明した方法に従って実行されてもよい。いくつかの例では、ブロック1930の動作の態様は、図7〜図10に関して説明したアップリンク許可構成要素によって実行されてもよく、アップリンク許可構成要素は、図7または図8で説明した送信機720または820、あるいは図10に関して説明したアンテナ1040およびトランシーバ1035と協調して動作してもよい。
【０１４７】
図20は、本開示の様々な態様による、短縮送信時間間隔ワイヤレス通信のための基準信号パターンおよびパイロットシェアリングのための方法2000を示すフローチャートを示す。方法2000の動作は、本明細書で説明するように、UE115またはその構成要素によって実装され得る。たとえば、方法2000の動作は、図11〜図14を参照しながら説明したように、UEアップリンクリソースマネージャによって実行されてもよい。いくつかの例では、UE115は、以下で説明する機能を実行するようにデバイスの機能要素を制御するためのコードのセットを実行してよい。追加または代替として、UE115は、専用ハードウェアを使用して、以下で説明する機能態様を実施し得る。
【０１４８】
ブロック2005において、UE115は、複数のOFDMシンボルを含むスロット内の少なくとも第1のTTIおよび第2のTTIに対するアップリンクリソースの割振りを基地局から受信し得る。ブロック2005の動作は、図1〜図6を参照しながら説明した方法に従って実行されてもよい。いくつかの例では、ブロック2005の動作の態様は、図11〜図14に関して説明したリソース割振り構成要素によって実行されてもよく、リソース割振り構成要素は、図11または図12で説明した受信機1110または1210、あるいは図14に関して説明したアンテナ1440およびトランシーバ1435と協調して動作してもよい。
【０１４９】
ブロック2010において、UE115は、DMRSの送信のために第1のTTIおよび第2のTTIによって共有されるべきスロット内で第1のOFDMシンボルの確保されたアップリンクリソースを識別してもよく、第1のOFDMシンボルは第1のTTIおよび第2のTTIの近傍または内部に位置する。ブロック2010の動作は、図1〜図6を参照しながら説明した方法に従って実行されてもよい。いくつかの例では、ブロック2010の動作の態様は、図11〜図14を参照しながら説明したように、DMRS構成要素によって実行され得る。
【０１５０】
ブロック2015において、UE115は、割り振られたアップリンクリソースおよび確保されたアップリンクリソースを使用して、アップリンク送信およびDMRSを基地局に送信してもよい。ブロック2015の動作は、図1〜図6を参照しながら説明した方法に従って実行されてもよい。いくつかの例では、ブロック2015の動作の態様は、図11〜図14に関して説明した送信機によって実行されてもよく、アップリンク許可構成要素は、図11または図12で説明した送信機1120または1220、あるいは図14に関して説明したアンテナ1440およびトランシーバ1435と協調して動作してもよい。
【０１５１】
図21は、本開示の様々な態様による、短縮送信時間間隔ワイヤレス通信のための基準信号パターンおよびパイロットシェアリングのための方法2100を示すフローチャートを示す。方法2100の動作は、本明細書で説明するように、UE115またはその構成要素によって実装され得る。たとえば、方法2100の動作は、図11〜図14を参照しながら説明したように、UEアップリンクリソースマネージャによって実行されてもよい。いくつかの例では、UE115は、以下で説明する機能を実行するようにデバイスの機能要素を制御するためのコードのセットを実行してよい。追加または代替として、UE115は、専用ハードウェアを使用して、以下で説明する機能態様を実施し得る。
【０１５２】
ブロック2105において、UE115は、複数のOFDMシンボルを含むスロット内の少なくとも第1のTTIおよび第2のTTIに対するアップリンクリソースの割振りを基地局から受信し得る。ブロック2105の動作は、図1〜図6を参照しながら説明した方法に従って実行されてもよい。いくつかの例では、ブロック2105の動作の態様は、図11〜図14に関して説明したリソース割振り構成要素によって実行されてもよく、リソース割振り構成要素は、図11または図12で説明した受信機1110または1210、あるいは図14に関して説明したアンテナ1440およびトランシーバ1435と協調して動作してもよい。
【０１５３】
ブロック2110において、UE115は、第1のTTIおよび第2のTTIが周波数リソースの同じセットを含むことを識別し得る。ブロック2110の動作は、図1〜図6を参照しながら説明した方法に従って実行されてもよい。いくつかの例では、ブロック2110の動作の態様は、図11〜図14を参照しながら説明したように、リソース割振り構成要素によって実行されてもよい。
【０１５４】
ブロック2115において、UE115は、DMRSの送信のために第1のTTIおよび第2のTTIによって共有されるべきスロット内で第1のOFDMシンボルの確保されたアップリンクリソースを識別してもよく、第1のOFDMシンボルは第1のTTIおよび第2のTTIの近傍または内部に位置する。ブロック2115の動作は、図1〜図6を参照しながら説明した方法に従って実行されてもよい。いくつかの例では、ブロック2115の動作の態様は、図11〜図14を参照しながら説明したように、DMRS構成要素によって実行され得る。
【０１５５】
ブロック2120において、UE115は、基本DMRSシーケンスの第1のCSに基づいて、第1のTTIに対する第1のDMRSシーケンスを生成してもよい。ブロック2120の動作は、図1〜図6を参照しながら説明した方法に従って実行されてもよい。いくつかの例では、ブロック2120の動作の態様は、図11〜図14を参照しながら説明したようなDMRSシーケンス構成要素によって実行され得る。
【０１５６】
ブロック2125において、UE115は、基本DMRSシーケンスの第2のCSに基づいて、第2のTTIに対する第2のDMRSシーケンスを生成してもよく、第1のDMRSシーケンスおよび第2のDMRSシーケンスは同じ長さを有する。ブロック2125の動作は、図1〜図6を参照しながら説明した方法に従って実行されてもよい。いくつかの例では、ブロック2125の動作の態様は、図11〜図14を参照しながら説明したようなDMRSシーケンス構成要素によって実行され得る。
【０１５７】
ブロック2130において、UE115は、第1のOFDMシンボル内で第1のDMRSシーケンスおよび第2のDMRSシーケンスを送信してもよい。ブロック2130の動作は、図1〜図6を参照しながら説明した方法に従って実行されてもよい。いくつかの例では、ブロック2130の動作の態様は、図11〜図14に関して説明した送信機によって実行されてもよく、アップリンク許可構成要素は、図11または図12で説明した送信機1120または1220、あるいは図14に関して説明したアンテナ1440およびトランシーバ1435と協調して動作してもよい。
【０１５８】
図22は、本開示の様々な態様による、短縮送信時間間隔ワイヤレス通信のための基準信号パターンおよびパイロットシェアリングのための方法2200を示すフローチャートを示す。方法2200の動作は、本明細書で説明するように、UE115またはその構成要素によって実装され得る。たとえば、方法2200の動作は、図11〜図14を参照しながら説明したように、UEアップリンクリソースマネージャによって実行されてもよい。いくつかの例では、UE115は、以下で説明する機能を実行するようにデバイスの機能要素を制御するためのコードのセットを実行してよい。追加または代替として、UE115は、専用ハードウェアを使用して、以下で説明する機能態様を実施し得る。
【０１５９】
ブロック2205において、UE115は、複数のOFDMシンボルを含むスロット内の少なくとも第1のTTIおよび第2のTTIに対するアップリンクリソースの割振りを基地局から受信し得る。ブロック2205の動作は、図1〜図6を参照しながら説明した方法に従って実行されてもよい。いくつかの例では、ブロック2205の動作の態様は、図11〜図14に関して説明したリソース割振り構成要素によって実行されてもよく、リソース割振り構成要素は、図11または図12で説明した受信機1110または1210、あるいは図14に関して説明したアンテナ1440およびトランシーバ1435と協調して動作してもよい。
【０１６０】
ブロック2210において、UE115は、第1のTTIが周波数リソースの第1のセットを含むことおよび第2のTTIが周波数リソースの第1のセットに隣接する周波数リソースの第2のセットを含むことを識別してもよい。ブロック2210の動作は、図1〜図6を参照しながら説明した方法に従って実行されてもよい。いくつかの例では、ブロック2210の動作の態様は、図11〜図14を参照しながら説明したように、リソース割振り構成要素によって実行されてもよい。
【０１６１】
ブロック2215において、UE115は、DMRSの送信のために第1のTTIおよび第2のTTIによって共有されるべきスロット内で第1のOFDMシンボルの確保されたアップリンクリソースを識別してもよく、第1のOFDMシンボルは第1のTTIおよび第2のTTIの近傍または内部に位置する。ブロック2215の動作は、図1〜図6を参照しながら説明した方法に従って実行されてもよい。いくつかの例では、ブロック2215の動作の態様は、図11〜図14を参照しながら説明したように、DMRS構成要素によって実行され得る。
【０１６２】
ブロック2220において、UE115は、周波数リソースの第1のセットに対応する第1のシーケンス長を有する第1のTTIに対する第1のDMRSシーケンスを生成してもよい。ブロック2220の動作は、図1〜図6を参照しながら説明した方法に従って実行されてもよい。いくつかの例では、ブロック2220の動作の態様は、図11〜図14を参照しながら説明したようなDMRSシーケンス構成要素によって実行され得る。
【０１６３】
ブロック2225において、UE115は、第1のDMRSシーケンスとは独立に、周波数リソースの第2のセットに対応する第2のシーケンス長を有する第2のTTIに対する第2のDMRSシーケンスを生成してもよい。ブロック2225の動作は、図1〜図6を参照しながら説明した方法に従って実行されてもよい。いくつかの例では、ブロック2225の動作の態様は、図11〜図14を参照しながら説明したようなDMRSシーケンス構成要素によって実行され得る。
【０１６４】
ブロック2230において、UE115は、第1のOFDMシンボル内で第1のDMRSシーケンスおよび第2のDMRSシーケンスを送信してもよい。ブロック2230の動作は、図1〜図6を参照しながら説明した方法に従って実行されてもよい。いくつかの例では、ブロック2230の動作の態様は、図11〜図14に関して説明した送信機によって実行されてもよく、アップリンク許可構成要素は、図11または図12で説明した送信機1120または1220、あるいは図14に関して説明したアンテナ1440およびトランシーバ1435と協調して動作してもよい。
【０１６５】
図23は、本開示の様々な態様による、短縮送信時間間隔ワイヤレス通信のための基準信号パターンおよびパイロットシェアリングのための方法2300を示すフローチャートを示す。方法2300の動作は、本明細書で説明するように、UE115またはその構成要素によって実装され得る。たとえば、方法2300の動作は、図11〜図14を参照しながら説明したように、UEアップリンクリソースマネージャによって実行されてもよい。いくつかの例では、UE115は、以下で説明する機能を実行するようにデバイスの機能要素を制御するためのコードのセットを実行してよい。追加または代替として、UE115は、専用ハードウェアを使用して、以下で説明する機能態様を実施し得る。
【０１６６】
ブロック2305において、UE115は、複数のOFDMシンボルを含むスロット内の少なくとも第1のTTIおよび第2のTTIに対するアップリンクリソースの割振りを基地局から受信し得る。ブロック2305の動作は、図1〜図6を参照しながら説明した方法に従って実行されてもよい。いくつかの例では、ブロック2305の動作の態様は、図11〜図14に関して説明したリソース割振り構成要素によって実行されてもよく、リソース割振り構成要素は、図11または図12で説明した受信機1110または1210、あるいは図14に関して説明したアンテナ1440およびトランシーバ1435と協調して動作してもよい。
【０１６７】
ブロック2310において、UE115は、第1のTTIが周波数リソースの第1のセットを含むことおよび第2のTTIが周波数リソースの第1のセットに隣接する周波数リソースの第2のセットを含むことを識別してもよい。ブロック2310の動作は、図1〜図6を参照しながら説明した方法に従って実行されてもよい。いくつかの例では、ブロック2310の動作の態様は、図11〜図14を参照しながら説明したように、リソース割振り構成要素によって実行されてもよい。
【０１６８】
ブロック2315において、UE115は、DMRSの送信のために第1のTTIおよび第2のTTIによって共有されるべきスロット内で第1のOFDMシンボルの確保されたアップリンクリソースを識別してもよく、第1のOFDMシンボルは第1のTTIおよび第2のTTIの近傍または内部に位置する。ブロック2315の動作は、図1〜図6を参照しながら説明した方法に従って実行されてもよい。いくつかの例では、ブロック2315の動作の態様は、図11〜図14を参照しながら説明したように、DMRS構成要素によって実行され得る。
【０１６９】
ブロック2320において、UE115は、周波数リソースの第1のセットと周波数リソースの第2のセットの両方にまたがる第1のシーケンス長を有する第1のTTIに対する第1のDMRSシーケンスを生成してもよい。ブロック2320の動作は、図1〜図6を参照しながら説明した方法に従って実行されてもよい。いくつかの例では、ブロック2320の動作の態様は、図11〜図14を参照しながら説明したようなDMRSシーケンス構成要素によって実行され得る。
【０１７０】
ブロック2325において、UE115は、周波数リソースの第1のセットと周波数リソースの第2のセットの両方にまたがる第2のシーケンス長を有する第2のTTIに対する第2のDMRSシーケンスを生成してもよい。ブロック2325の動作は、図1〜図6を参照しながら説明した方法に従って実行されてもよい。いくつかの例では、ブロック2325の動作の態様は、図11〜図14を参照しながら説明したようなDMRSシーケンス構成要素によって実行され得る。
【０１７１】
ブロック2330において、UE115は、第1のOFDMシンボル内で第1のDMRSシーケンスおよび第2のDMRSシーケンスを送信してもよい。ブロック2330の動作は、図1〜図6を参照しながら説明した方法に従って実行されてもよい。いくつかの例では、ブロック2330の動作の態様は、図11〜図14に関して説明した送信機によって実行されてもよく、アップリンク許可構成要素は、図11または図12で説明した送信機1120または1220、あるいは図14に関して説明したアンテナ1440およびトランシーバ1435と協調して動作してもよい。
【０１７２】
図24は、本開示の様々な態様による、短縮送信時間間隔ワイヤレス通信のための基準信号パターンおよびパイロットシェアリングのための方法2400を示すフローチャートを示す。方法2400の動作は、本明細書で説明するように、UE115またはその構成要素によって実装され得る。たとえば、方法2400の動作は、図11〜図14を参照しながら説明したように、UEアップリンクリソースマネージャによって実行されてもよい。いくつかの例では、UE115は、以下で説明する機能を実行するようにデバイスの機能要素を制御するためのコードのセットを実行してよい。追加または代替として、UE115は、専用ハードウェアを使用して、以下で説明する機能態様を実施し得る。
【０１７３】
ブロック2405において、UE115は、複数のOFDMシンボルを含むスロット内の少なくとも第1のTTIおよび第2のTTIに対するアップリンクリソースの割振りを基地局から受信し得る。ブロック2405の動作は、図1〜図6を参照しながら説明した方法に従って実行されてもよい。いくつかの例では、ブロック2405の動作の態様は、図11〜図14に関して説明したリソース割振り構成要素によって実行されてもよく、リソース割振り構成要素は、図11または図12で説明した受信機1110または1210、あるいは図14に関して説明したアンテナ1440およびトランシーバ1435と協調して動作してもよい。
【０１７４】
ブロック2410において、UE115は、第1のTTIが周波数リソースの第1のセットを含むことおよび第2のTTIが周波数リソースの第1のセットのサブセットである周波数リソースの第2のセットを含むことを識別してもよい。ブロック2410の動作は、図1〜図6を参照しながら説明した方法に従って実行されてもよい。いくつかの例では、ブロック2410の動作の態様は、図11〜図14を参照しながら説明したように、リソース割振り構成要素によって実行されてもよい。
【０１７５】
ブロック2415において、UE115は、DMRSの送信のために第1のTTIおよび第2のTTIによって共有されるべきスロット内で第1のOFDMシンボルの確保されたアップリンクリソースを識別してもよく、第1のOFDMシンボルは第1のTTIおよび第2のTTIの近傍または内部に位置する。ブロック2415の動作は、図1〜図6を参照しながら説明した方法に従って実行されてもよい。いくつかの例では、ブロック2415の動作の態様は、図11〜図14を参照しながら説明したように、DMRS構成要素によって実行され得る。
【０１７６】
ブロック2420において、UE115は、第1のTTIに対する第1のDMRSシーケンスの送信のための周波数リソースの第1のセット内に第1のインターレースを構成し得る。ブロック2420の動作は、図1〜図6を参照しながら説明した方法に従って実行されてもよい。いくつかの例では、ブロック2420の動作の態様は、図11〜図14に関して説明したDMRSインターレース構成要素によって実行され得る。
【０１７７】
ブロック2425において、UE115は、周波数リソースの第1のセットに対応する第1のシーケンス長を有する第1のDMRSシーケンスを生成してもよい。ブロック2425の動作は、図1〜図6を参照しながら説明した方法に従って実行されてもよい。いくつかの例では、ブロック2425の動作の態様は、図11〜図14を参照しながら説明したようなDMRSシーケンス構成要素によって実行され得る。
【０１７８】
ブロック2430において、UE115は、第2のTTIに対する第2のDMRSシーケンスの送信のための周波数リソースの第1のセットのサブセット内に第2のインターレースを構成し得る。ブロック2430の動作は、図1〜図6を参照しながら説明した方法に従って実行されてもよい。いくつかの例では、ブロック2430の動作の態様は、図11〜図14に関して説明したDMRSインターレース構成要素によって実行され得る。
【０１７９】
ブロック2435において、UE115は、周波数リソースの第2のセットに対応する第2のシーケンス長を有する第2のDMRSシーケンスを生成してもよい。ブロック2435の動作は、図1〜図6を参照しながら説明した方法に従って実行されてもよい。いくつかの例では、ブロック2435の動作の態様は、図11〜図14を参照しながら説明したようなDMRSシーケンス構成要素によって実行され得る。
【０１８０】
ブロック2440において、UE115は、第1のインターレース内の第1のDMRSシーケンスおよび第2のインターレース内の第2のDMRSシーケンスを送信してもよい。ブロック2440の動作は、図1〜図6を参照しながら説明した方法に従って実行されてもよい。いくつかの例では、ブロック2440の動作の態様は、図11〜図14に関して説明した送信機によって実行されてもよく、アップリンク許可構成要素は、図11または図12で説明した送信機1120または1220、あるいは図14に関して説明したアンテナ1440およびトランシーバ1435と協調して動作してもよい。
【０１８１】
上記で説明した方法は、可能な実装形態について説明しており、動作およびステップは、並べ替えられるか、または他の方法で修正されてもよく、他の実装形態が可能であることに留意されたい。さらに、方法のうちの2つ以上からの態様が組み合わせられてよい。
【０１８２】
本明細書で説明される技法は、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)、および他のシステムなどの、様々なワイヤレス通信システムのために使用され得る。「システム」および「ネットワーク」という用語は、しばしば、互換的に使用される。符号分割多元接続(CDMA)システムは、CDMA2000、Universal Terrestrial Radio Access(UTRA)などの無線技術を実装し得る。CDMA2000は、IS-2000規格、IS-95規格、およびIS-856規格を対象とする。IS-2000リリースは、通常、CDMA2000 1X、1Xなどと呼ばれることがある。IS-856(TIA-856)は、通常、CDMA2000 1xEV-DO、High Rate Packet Data(HRPD)などと呼ばれる。UTRAは、Wideband CDMA(WCDMA(登録商標))およびCDMAの他の変形を含む。時分割多元接続(TDMA)システムは、モバイル通信用グローバルシステム(GSM(登録商標))などの無線技術を実装し得る。
【０１８３】
直交周波数分割多元接続(OFDMA)システムは、Ultra Mobile Broadband(UMB)、Evolved UTRA(E-UTRA)、米国電気電子技術者協会(IEEE)802.11(Wi-Fi)、IEEE802.16(WiMAX)、IEEE802.20、Flash-OFDMなどの無線技術を実装し得る。UTRAおよびE-UTRAは、Universal Mobile Telecommunications system(UMTS)の一部である。3GPPロングタームエボリューション(LTE)およびLTEアドバンスト(LTE-A)は、E-UTRAを使用するユニバーサルモバイルテレコミュニケーションシステム(UMTS)のリリースである。UTRA、E-UTRA、UMTS、LTE、LTE-A、NR、およびモバイル通信用グローバルシステム(GSM(登録商標))は、「第3世代パートナーシッププロジェクト」(3GPP)と称する組織からの文書に記載されている。CDMA2000およびUMBは、「第3世代パートナーシッププロジェクト2」(3GPP2)と称する組織からの文書に記載されている。本明細書で説明した技法は、上述のシステムおよび無線技術、ならびに他のシステムおよび無線技術のために使用され得る。LTEシステムまたはNRシステムの態様が例として説明されることがあり、説明の大部分においてLTEまたはNRの用語が使用されることがあるが、本明細書で説明される技法はLTEまたはNRの適用例以外に適用可能である。
【０１８４】
本明細書で説明したそのようなネットワークを含むLTE/LTE-Aネットワークでは、発展型ノードB(eNB)という用語は一般に、基地局を表すために使用され得る。本明細書で説明される1つまたは複数のワイヤレス通信システムは、異なるタイプのevolved node B(eNB)が様々な地理的領域にカバレッジを与える、異種(heterogeneous)LTE/LTE-AまたはNRのネットワークを含み得る。たとえば、各eNB、gNB、または基地局は、マクロセル、スモールセル、または他のタイプのセル用の、通信カバレージを提供し得る。「セル」という用語は、文脈に応じて、基地局、基地局に関連するキャリアもしくはコンポーネントキャリア、またはキャリアもしくは基地局のカバレージエリア(たとえば、セクタなど)を表すために使用され得る。
【０１８５】
基地局は、基地トランシーバ局、無線基地局、アクセスポイント、無線トランシーバ、NodeB、eNodeB(eNB)、次世代NodeB(gNB)、Home NodeB、Home eNodeB、または何らかの他の好適な用語を含み得るか、またはそのように当業者によって呼ばれることがある。基地局のための地理的カバレッジエリアは、カバレッジエリアの一部分のみを構成するセクタに分割され得る。本明細書で説明される1つまたは複数のワイヤレス通信システムは、異なるタイプの基地局(たとえば、マクロセル基地局またはスモールセル基地局)を含み得る。本明細書で説明したUEは、マクロeNB、スモールセルeNB、gNB、中継基地局などを含む、様々なタイプの基地局およびネットワーク機器と通信することが可能であり得る。異なる技術のための重複する地理的カバレージエリアがあってよい。
【０１８６】
マクロセルは、一般に、比較的大きい地理的エリア(たとえば、半径数キロメートル)をカバーし、ネットワークプロバイダのサービスに加入しているUEによる無制限アクセスを可能にしてもよい。スモールセルは、マクロセルと比較して、同じまたは異なる(たとえば、認可、無認可などの)周波数帯域内でマクロセルとして動作する場合がある低電力基地局である。スモールセルは、様々な例によれば、ピコセル、フェムトセル、およびマイクロセルを含む場合がある。ピコセルは、たとえば、小さい地理的エリアをカバーしてもよく、ネットワークプロバイダのサービスに加入しているUEによる無制限アクセスを可能にしてもよい。フェムトセルも、小さい地理的エリア(たとえば、自宅)をカバーすることができ、フェムトセルとの関連性を有するUE(たとえば、限定加入者グループ(CSG)の中のUE、自宅内のユーザのためのUE、など)による制限付きアクセスを提供することができる。マクロセルのためのeNBは、マクロeNBと呼ばれることがある。スモールセルのためのeNBは、スモールセルeNB、ピコeNB、フェムトeNB、またはホームeNBと呼ばれ得る。eNBは、1つまたは複数の(たとえば、2つ、3つ、4つなどの)セル(たとえば、コンポーネントキャリア)をサポートしてもよい。
【０１８７】
本明細書で説明される1つまたは複数のワイヤレス通信システムは、同期動作または非同期動作をサポートし得る。同期動作の場合、基地局は、類似のフレームタイミングを有することがあり、異なる基地局からの送信は、時間的にほぼ整合されることがある。非同期動作の場合、基地局は、異なるフレームタイミングを有する場合があり、異なる基地局からの送信は、時間的に整合されないことがある。本明細書で説明した技法は、同期動作または非同期動作のいずれに使用されてもよい。
【０１８８】
本明細書で説明されるダウンリンク送信は、順方向リンク送信と呼ばれることもあり、アップリンク送信は、逆方向リンク送信と呼ばれることもある。たとえば、図1および図2のワイヤレス通信システム100および200を含む、本明細書で説明される各通信リンクは、1つまたは複数のキャリアを含むことがあり、ここで、各キャリアは、複数のサブキャリア(たとえば、異なる周波数の波形信号)で構成される信号であり得る。
【０１８９】
添付の図面に関して本明細書に記載された説明は、例示的な構成を説明し、実装され得るまたは特許請求の範囲内に入るすべての例を表すとは限らない。本明細書で使用される「例示的」という用語は、「例、事例、または例示として働く」ことを意味し、「好ましい」または「他の例よりも有利な」を意味するものではない。詳細な説明は、説明した技法の理解を与えるための具体的な詳細を含む。しかしながら、これらの技法は、これらの具体的な詳細なしに実践されてよい。いくつかの事例では、説明した例の概念を不明瞭にすることを回避するために、よく知られている構造およびデバイスがブロック図の形態で示される。
【０１９０】
添付の図では、同様の構成要素または特徴は、同じ参照ラベルを有する場合がある。さらに、同じタイプの様々な構成要素は、参照ラベルの後に、ダッシュと、同様の構成要素を区別する第2のラベルとを続けることによって区別される場合がある。第1の参照ラベルのみが本明細書において使用される場合、説明は、第2の参照ラベルにかかわらず、同じ第1の参照ラベルを有する類似の構成要素のうちのいずれにも適用可能である。
【０１９１】
本明細書で説明する情報および信号は、多種多様な技術および技法のいずれかを使用して表されてもよい。たとえば、上記の説明全体にわたって言及される場合があるデータ、命令、コマンド、情報、信号、ビット、シンボル、およびチップは、電圧、電流、電磁波、磁場もしくは磁性粒子、光場もしくは光学粒子、またはそれらの任意の組合せによって表されてもよい。
【０１９２】
本開示に関して説明した様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または本明細書で説明した機能を実行するように設計されたそれらの任意の組合せを用いて実装または実行され得る。汎用プロセッサはマイクロプロセッサであってよいが、代替として、プロセッサは任意の従来のプロセッサ、コントローラ、マイクロコントローラ、または状態機械であってよい。プロセッサはまた、コンピューティングデバイス(たとえば、DSPとマイクロプロセッサとの組合せ、複数のマイクロプロセッサ、DSPコアと連携した1つもしくは複数のマイクロプロセッサ、または任意の他のそのような構成)の組合せとしても実装され得る。
【０１９３】
本明細書で説明した機能は、ハードウェア、プロセッサによって実行されるソフトウェア、ファームウェア、またはそれらの任意の組合せとして実装されてよい。プロセッサによって実行されるソフトウェアで実装される場合、機能は、1つまたは複数の命令またはコードとして、コンピュータ可読媒体上に記憶され、またはコンピュータ可読媒体を介して送信され得る。他の例および実装形態は、本開示および添付の特許請求の範囲の範囲内に入る。たとえば、ソフトウェアの性質により、上で説明された機能は、プロセッサによって実行されるソフトウェア、ハードウェア、ファームウェア、ハードワイヤリング、またはそれらのいずれかの組合せを使用して実装され得る。機能を実装する特徴はまた、異なる物理的位置において機能の部分が実装されるように分散されることを含めて、様々な位置に物理的に配置されてもよい。また、特許請求の範囲内を含む本明細書で使用する場合、項目のリスト(たとえば、「〜の少なくとも1つ」または「〜の1つまたは複数」などのフレーズによって前置きされた項目のリスト)において使用されるような「または」は、たとえば、A、B、またはCの少なくとも1つのリストがAまたはBまたはCまたはABまたはACまたはBCまたはABC(すなわち、AおよびBおよびC)を意味するように、包括的リストを示す。また、本明細書で使用される「に基づいて」という句は、条件の閉集合を指すものと解釈されるべきではない。たとえば、「条件Aに基づいて」として説明される例示的なステップは、本開示の範囲から逸脱することなく、条件Aと条件Bの両方に基づいてよい。言い換えれば、本明細書で使用する「に基づいて」という句は、「に少なくとも部分的に基づいて」という句と同様に解釈しなければならない。
【０１９４】
コンピュータ可読媒体は、非一時的コンピュータ記憶媒体と、ある場所から別の場所へのコンピュータプログラムの転送を容易にする任意の媒体を含む通信媒体の両方を含む。非一時的記憶媒体は、汎用コンピュータまたは専用コンピュータによってアクセスされ得る任意の利用可能な媒体であってよい。限定ではなく例として、非一時的コンピュータ可読媒体は、RAM、ROM、電気的消去可能プログラマブル読取り専用メモリ(EEPROM)、コンパクトディスク(CD)ROMまたは他の光ディスクストレージ、磁気ディスクストレージまたは他の磁気ストレージデバイス、あるいは、命令またはデータ構造の形態の所望のプログラムコード手段を担持または記憶するために使用され得、汎用コンピュータもしくは専用コンピュータまたは汎用プロセッサもしくは専用プロセッサによってアクセスされ得るいずれかの他の非一時的媒体を備え得る。また、任意の接続が、適正にコンピュータ可読媒体と呼ばれる。たとえば、ソフトウェアが、同軸ケーブル、光ファイバーケーブル、ツイストペア、デジタル加入者回線(DSL)、または赤外線、無線、およびマイクロ波などのワイヤレス技術を使用してウェブサイト、サーバ、または他のリモートソースから送信される場合、同軸ケーブル、光ファイバーケーブル、ツイストペア、デジタル加入者回線(DSL)、または赤外線、無線、およびマイクロ波などのワイヤレス技術は、媒体の定義に含まれる。本明細書で使用されるディスク(disk)およびディスク(disc)は、CD、レーザーディスク(登録商標)(disc)、光ディスク(disc)、デジタル多用途ディスク(disc)(DVD)、フロッピー(登録商標)ディスク(disk)およびBlu-ray(登録商標)ディスク(disc)を含み、ここで、ディスク(disk)は、通常、データを磁気的に再生し、ディスク(disc)は、データをレーザーで光学的に再生する。上記のものの組合せも、コンピュータ可読媒体の範囲内に含まれる。
【０１９５】
本明細書での説明は、当業者が本開示を作成または使用することを可能にするために与えられる。本開示の様々な修正は、当業者に容易に明らかになり、本明細書で定義される一般原理は、本開示の範囲を逸脱することなく他の変形形態に適用され得る。したがって、本開示は、本明細書で説明した例および設計に限定されず、本明細書で開示される原理および新規の特徴と一致する最も広い範囲を与えられるべきである。
【符号の説明】
【０１９６】
100  ワイヤレス通信システム
105  基地局(BS)
105-a  基地局
105-b  基地局、ネットワークデバイス
110  地理的カバレッジエリア
115  ユーザ機器(UE)
115-a  UE
115-b  UE
125  通信リンク
130  コアネットワーク
132  バックホールリンク
134  バックホールリンク
200  ワイヤレス通信システム
205  キャリア
210  サブフレーム
210-a  第1のサブフレーム
210-b  第2のサブフレーム
210-c  第3のサブフレーム
220  第1のスロット(スロット0)
225  第2のスロット(スロット1)
230  第1の短縮送信時間間隔(sTTI)
235  第2のsTTI
240  第3のsTTI
300  sTTIリソース
310  サブフレーム
315  第1のスロット(スロット0)
320  第2のスロット(スロット1)
325  第1の送信時間間隔(TTI)
330  第2のTTI
335  第3のTTI
340  共有(shared)復調基準信号(DMRS)シンボル
345  スロットアライメント
350  周波数リソースf0
400  sTTIリソース
405  第1のsTTI(sTTI-0)
410  第2のsTTI(sTTI-1)
415  第1のアップリンク周波数リソース(f0)
420  第2のアップリンク周波数リソース(f1)
425  共有DMRSシンボル
500  sTTIリソース
505  第1のsTTI(sTTI-0)
510  第2のsTTI(sTTI-1)
515  第1のアップリンク周波数リソース(f0)
520  第2のアップリンク周波数リソース(f1)
525  共有DMRSシンボル
530  第1のDMRSインターレース(DMRSインターレース0)
535  第2のDMRSインターレース
600  プロセスフロー
605  接続
610  バッファステータス報告(BSR)
615  ブロック
620  ブロック
625  ブロック
630  ダウンリンク制御情報(DCI)
635  ブロック
640  ブロック
645  アップリンク送信
650  ブロック
700  ブロック図
705  ワイヤレスデバイス
710  受信機
715  基地局アップリンクリソースマネージャ
720  送信機
800  ブロック図
805  ワイヤレスデバイス
810  受信機
815  基地局アップリンクリソースマネージャ
820  送信機
825  リソース割振り構成要素
830  DMRS構成要素
835  アップリンク許可構成要素
900  ブロック図
915  基地局アップリンクリソースマネージャ
920  リソース割振り構成要素
925  DMRS構成要素
930  アップリンク許可構成要素
935  DMRSシーケンス構成要素
940  DMRSインターレース構成要素
1000  システム
1005  デバイス
1010  バス
1015  基地局アップリンクリソースマネージャ
1020  プロセッサ
1025  メモリ
1030  ソフトウェア
1035  トランシーバ
1040  アンテナ
1045  ネットワーク通信マネージャ
1050  基地局通信マネージャ
1100  ブロック図
1105  ワイヤレスデバイス
1110  受信機
1115  UEアップリンクリソースマネージャ
1120  送信機
1200  ブロック図
1205  ワイヤレスデバイス
1210  受信機
1215  UEアップリンクリソースマネージャ
1220  送信機
1225  リソース割振り構成要素
1230  DMRS構成要素
1300  ブロック図
1315  UEアップリンクリソースマネージャ
1320  リソース割振り構成要素
1325  DMRS構成要素
1330  DMRSシーケンス構成要素
1335  DMRSインターレース構成要素
1400  システム
1405  デバイス
1410  バス
1415  UEアップリンクリソースマネージャ
1420  プロセッサ
1425  メモリ
1430  ソフトウェア
1435  トランシーバ
1440  アンテナ
1445  I/Oコントローラ
【図１】
2019537364.tif 000003
【図２】
2019537364.tif 000004
【図３】
2019537364.tif 000005
【図４】
2019537364.tif 000006
【図５】
2019537364.tif 000007
【図６】
2019537364.tif 000008
【図７】
2019537364.tif 000009
【図８】
2019537364.tif 000010
【図９】
2019537364.tif 000011
【図１０】
2019537364.tif 000012
【図１１】
2019537364.tif 000013
【図１２】
2019537364.tif 000014
【図１３】
2019537364.tif 000015
【図１４】
2019537364.tif 000016
【図１５】
2019537364.tif 000017
【図１６】
2019537364.tif 000018
【図１７】
2019537364.tif 000019
【図１８】
2019537364.tif 000020
【図１９】
2019537364.tif 000021
【図２０】
2019537364.tif 000022
【図２１】
2019537364.tif 000023
【図２２】
2019537364.tif 000024
【図２３】
2019537364.tif 000025
【図２４】
2019537364.tif 000026
【国際調査報告】
2019537364.tif 000027
2019537364.tif 000028